(57)【特許請求の範囲】
【請求項１】
データ送信方法であって、
免許不要の周波数帯における利用可能な時間−周波数リソースの時間領域インターバルを基地局によって決定するステップであって、前記利用可能な時間−周波数リソースは、時間領域において連続している時間−周波数リソースである、ステップと、
前記基地局によって前記免許不要の周波数帯における前記時間領域インターバルの中の第1のサブフレームにおいてプリアンブル信号を送信するステップであって、前記第1のサブフレームは、前記時間領域インターバルの中の最初のサブフレームである、ステップと、
前記プリアンブル信号の送信の後に前記免許不要の周波数帯において前記基地局によってダウンリンク制御情報及びデータを送信するステップであって、前記データは、前記第1のサブフレームに存在し、前記ダウンリンク制御情報は、スケジューリング指示情報を含み、前記スケジューリング指示情報は、前記データの周波数領域位置を示すのに使用され、前記ダウンリンク制御情報の送信の前に前記免許不要の周波数帯における前記第1のサブフレームにおいて送信された前記プリアンブル信号は、継続時間指示情報を含み、前記継続時間指示情報は、前記免許不要の周波数帯における前記基地局の利用可能な継続時間を示すのに使用され、前記プリアンブル信号は、ユーザ機器が前記免許不要の周波数帯における前記第1のサブフレームの中の前記データの時間領域位置及び前記ダウンリンク制御情報の位置を決定するのに使用される、ステップと、を含む、
方法。
【請求項２】
前記プリアンブル信号は、前記免許不要の周波数帯のセル識別子、前記免許不要の周波数帯の公衆携帯電話ネットワーク識別子、又は前記ダウンリンク制御情報によって占有されているシンボルの量、のうちの少なくとも1つをさらに含む、請求項１に記載の方法。
【請求項３】
前記プリアンブル信号は、前記時間領域インターバルの先頭にある少なくとも1つのシンボルの中に存在する、請求項１及び２のいずれか１項に記載の方法。
【請求項４】
基地局であって、
免許不要の周波数帯における利用可能な時間−周波数リソースの時間領域インターバルを決定するように構成される処理ユニットであって、前記利用可能な時間−周波数リソースは、時間領域において連続している時間−周波数リソースである、処理ユニットと、
前記時間領域インターバルの中の第1のサブフレームにおいてプリアンブル信号を送信するように構成される送信ユニットであって、前記第1のサブフレームは、前記時間領域インターバルの中の最初のサブフレームである、送信ユニットと、を含み、
前記送信ユニットは、さらに、前記プリアンブル信号の送信の後に前記免許不要の周波数帯においてダウンリンク制御情報及びデータを送信するように構成され、前記データは、前記第1のサブフレームに存在し、前記ダウンリンク制御情報は、スケジューリング指示情報を含み、前記スケジューリング指示情報は、前記データの周波数領域位置を示すのに使用され、前記ダウンリンク制御情報の送信の前に前記免許不要の周波数帯における前記第1のサブフレームにおいて送信された前記プリアンブル信号は、継続時間指示情報を含み、前記継続時間指示情報は、前記免許不要の周波数帯における前記基地局の利用可能な継続時間を示すのに使用され、前記プリアンブル信号は、ユーザ機器が前記免許不要の周波数帯における前記第1のサブフレームの中の前記データの時間領域位置及び前記ダウンリンク制御情報の位置を決定するのに使用される、
基地局。
【請求項５】
前記プリアンブル信号は、前記免許不要の周波数帯のセル識別子、前記免許不要の周波数帯の公衆携帯電話ネットワーク識別子、又は前記ダウンリンク制御情報によって占有されているシンボルの量、のうちの少なくとも1つをさらに含む、請求項４に記載の基地局。
【請求項６】
前記プリアンブル信号は、前記時間領域インターバルの先頭にある少なくとも1つのシンボルの中に存在する、請求項４及び５のいずれか１項に記載の基地局。
【請求項７】
データ受信方法であって、
ユーザ機器によって免許不要の周波数帯における利用可能な時間−周波数リソースの時間領域インターバルの中の第1のサブフレームにおいてプリアンブル信号を受信するステップであって、前記利用可能な時間−周波数リソースは、時間領域において連続している時間−周波数リソースであり、前記第1のサブフレームは、前記時間領域インターバルの中の最初のサブフレームである、ステップと、
ユーザ機器によってダウンリンク制御チャネルに検出を実行して、前記免許不要の周波数帯における前記第1のサブフレームの中のダウンリンク制御情報を取得するステップであって、前記ダウンリンク制御情報は、スケジューリング指示情報を含み、前記スケジューリング指示情報は、第1のサブフレームの中のスケジューリングされたデータの周波数領域位置を示すのに使用される、ステップと、
前記ダウンリンク制御チャネルの受信の前に前記免許不要の周波数帯における前記第1のサブフレームで受信された前記プリアンブル信号にしたがって、前記ユーザ機器によって前記免許不要の周波数帯における前記第1のサブフレームの中の前記データの時間領域位置及び前記ダウンリンク制御情報の位置を決定するステップであって、前記プリアンブル信号は、継続時間指示情報を含み、前記継続時間指示情報は、前記免許不要の周波数帯における基地局の利用可能な継続時間を示すのに使用される、ステップと、
前記データの前記周波数領域位置及び前記時間領域位置にしたがって、前記ユーザ機器によって前記免許不要の周波数帯の中で前記データを受信するステップと、を含む、
方法。
【請求項８】
前記プリアンブル信号は、前記免許不要の周波数帯のセル識別子、前記免許不要の周波数帯の公衆携帯電話ネットワーク識別子、又は前記ダウンリンク制御情報によって占有されているシンボルの量、のうちの少なくとも1つをさらに含む、請求項７に記載の方法。
【請求項９】
前記ダウンリンク制御情報は、データ・シンボル指示情報を含み、当該方法は、
前記データ・シンボル指示情報にしたがって前記ユーザ機器によって第3のサブフレームの中の前記データの終了位置を決定するステップをさらに含み、前記第3のサブフレームは、免許不要の周波数帯における利用可能な時間−周波数リソースの前記時間領域インターバルの中の最後のサブフレームである、請求項７に記載の方法。
【請求項１０】
前記プリアンブル信号は、前記時間領域インターバルの先頭にある少なくとも1つのシンボルの中に存在する、請求項７乃至９のいずれか１項に記載の方法。
【請求項１１】
ユーザ機器であって、
免許不要の周波数帯における利用可能な時間−周波数リソースの時間領域インターバルの中の第1のサブフレームにおいてプリアンブル信号を受信するように構成される受信ユニットであって、前記利用可能な時間−周波数リソースは、時間領域において連続している時間−周波数リソースであり、前記第1のサブフレームは、前記時間領域インターバルの中の最初のサブフレームである、受信ユニットと、
ダウンリンク制御チャネルに検出を実行して、前記免許不要の周波数帯における前記第1のサブフレームの中のダウンリンク制御情報を取得するように構成される処理ユニットであって、前記ダウンリンク制御情報は、スケジューリング指示情報を含み、前記スケジューリング指示情報は、第1のサブフレームの中のスケジューリングされたデータの周波数領域位置を示すのに使用され、
前記処理ユニットは、さらに、前記ダウンリンク制御チャネルの受信の前に前記免許不要の周波数帯における前記第1のサブフレームで受信された前記プリアンブル信号にしたがって、前記免許不要の周波数帯における前記第1のサブフレームの中の前記データの時間領域位置及び前記ダウンリンク制御情報の位置を決定するように構成され、前記プリアンブル信号は、継続時間指示情報を含み、前記継続時間指示情報は、前記免許不要の周波数帯における基地局の利用可能な継続時間を示すのに使用される、処理ユニットと、を含み、
前記受信ユニットは、さらに、前記データの前記周波数領域位置及び前記時間領域位置にしたがって、前記免許不要の周波数帯の中で前記データを受信するように構成される受信ユニットと、を含む、
ユーザ機器。
【請求項１２】
前記プリアンブル信号は、前記免許不要の周波数帯のセル識別子、前記免許不要の周波数帯の公衆携帯電話ネットワーク識別子、又は前記ダウンリンク制御情報によって占有されているシンボルの量、のうちの少なくとも1つをさらに含む、請求項１１に記載のユーザ機器。
【請求項１３】
前記ダウンリンク制御情報は、データ・シンボル指示情報を含み、
前記処理ユニットは、さらに、前記データ・シンボル指示情報にしたがって第3のサブフレームの中の前記データの終了位置を前記ユーザ機器によって決定するように構成される、前記第3のサブフレームは、免許不要の周波数帯における利用可能な時間−周波数リソースの前記時間領域インターバルの中の最後のサブフレームである、請求項１１に記載のユーザ機器。
【請求項１４】
前記プリアンブル信号は、前記時間領域インターバルの先頭にある少なくとも1つのシンボルの中に存在する、請求項１１乃至１３のいずれか１項に記載のユーザ機器。
【請求項１５】
ユーザ機器のプロセッサに、請求項７乃至１０のいずれか１項に記載の方法を実行させる、プログラム。
【請求項１６】
基地局のプロセッサに、請求項１乃至３のいずれか１項に記載の方法を実行させる、プログラム。
【発明の詳細な説明】
【技術分野】
【０００１】
本発明の複数の実施形態は、通信システムに関し、詳細には、データ送信方法及び装置に関する。
【背景技術】
【０００２】
ロング・ターム・エボリューション(Long  Term  Evolution，LTE)システムのサービング・セルが位置する周波数帯は、免許付与された周波数帯であり、購入されたその免許付与された周波数帯を持つ事業者ネットワークのみが使用することができる。現在、当業界は、次第に免許不要の周波数帯に関心を寄せるようになっている。ユーザ機器(User  Equipment，UE)にサービスを提供することを目的として、セカンダリ・キャリアとして使用される免許不要の周波数帯及びプライマリ・キャリアとして使用される免許付与された周波数帯にキャリア・アグリゲーションが実行される。この方法は、現時点で免許不要の周波数帯を使用するための最も関心が寄せられている方法である。免許不要の周波数帯に対応するセカンダリ・キャリアは、免許不要のセカンダリ・キャリアと称されてもよく、免許付与された周波数帯に対応するプライマリ・キャリアは免許付与されたプライマリ・キャリアと称されてもよい。
【０００３】
免許不要の周波数帯は、UE向けのデータを送信するセカンダリ・キャリアとして使用されてもよい。しかしながら、免許不要の周波数帯は連続していない場合がある。基地局は、競合によって免許不要の周波数帯のリソースを取得した後に、ある特定の時間期間の間に免許不要の周波数帯を使用することができるにすぎない。別の基地局が競合によってその免許不要の周波数帯を占有した後に、その別の基地局が免許不要の周波数帯を占有している場合には、基地局は、その免許不要の周波数帯を使用して信号を送信することはできない。その基地局は、免許不要の周波数帯を排他的に使用してUEに信号を送信することはできない。したがって、免許不要の周波数帯は、ユーザ機器にサービスを提供するためのセカンダリ・キャリアとして使用することができるにすぎない。免許不要の周波数帯は、使用するために免許付与された周波数帯に固定される必要がある。例えば、免許不要のセカンダリ・キャリアは、使用するために免許付与されたプライマリ・キャリアに固定される必要がある。その場合、プライマリ・キャリア及びセカンダリ・キャリアは、同じタイミング関係、同じサブフレーム番号、及び同じサブフレーム境界を持つ必要がある。
【０００４】
免許不要の周波数帯は、いずれの組織又は個人でも使用することができる公共の周波数帯を指す。しかしながら、使用時には、例えば、リッスン・ビフォア・トーク(Listen  Before  Talk，LBT)等の特定の規則に従う必要がある。すなわち、リッスンすることによって、周波数帯が不使用状態であることを決定した場合のみ、免許不要の周波数帯で信号を送信してもよい。一般に、空きチャネル評価(Clear  Channel  Assessment，CCA)又は拡張CCA(extended  CCA，ECCA)がLBTで使用される。CCAでは、基地局を求めて、少なくとも20[μs]にわたってチャネルをリッスンする。リッスンすることによって信号が取得されない場合には、チャネルは不使用状態であるとみなされ、使用することができる。基地局が20[μs]にわたってリッスンを行った後に、チャネルが占有されていることが分かった場合には、CCAがECCAに切り替えられる。ECCAでは基地局に対して乱数Rが生成され、連続したR回の期間にわたってチャネルをリッスンする。チャネルがR回の期間すべてで不使用状態であれば、そのチャネルを使用することができる。CCA又はECCAの終了時間は、免許不要の周波数帯のサブフレームの中途にあるシンボルになることがある。したがって、その後の数シンボルではデータを送信することができない。これは、周波数帯リソースの浪費を生じさせる。
【発明の概要】
【０００５】
本発明の複数の実施形態は、データ送信方法及び装置を提供することにより、周波数帯の利用を改善させる。
【０００６】
第1の態様によれば、データ送信方法が提供され、当該方法は、免許不要の周波数帯における利用可能な時間−周波数リソースの時間領域インターバルを基地局によって決定するステップであって、前記利用可能な時間−周波数リソースは、時間領域において連続している時間−周波数リソースである、ステップと、前記基地局によって、前記時間領域インターバルの中の第1のサブフレームによってプリアンブル信号を送信するステップであって、前記第1のサブフレームは、前記時間領域インターバルの中の最初のサブフレームである、ステップと、前記プリアンブル信号を送信した後に、ダウンリンク制御情報及びデータを前記基地局によって送信するステップであって、前記データは、前記第1のサブフレームに存在し、前記ダウンリンク制御情報は、スケジューリング指示情報を含み、前記スケジューリング指示情報は、前記データの周波数領域位置を示すのに使用される、ステップとを含む。
【０００７】
第1の可能な実装方法において、前記ダウンリンク制御情報は、ダウンリンク制御チャネルに存在し、前記第1のサブフレームは、前記時間領域にN個のシンボルを含み、前記ダウンリンク制御チャネルは、プリアンブル信号に続くn個のシンボル中に位置するか、又は、前記ダウンリンク制御チャネルは、前記第1のサブフレームの最後のn個のシンボル中に位置するか、又は、前記ダウンリンク制御チャネルは、強化型物理ダウンリンク制御チャネルであり、前記強化型物理ダウンリンク制御チャネルは、前記プリアンブル信号が位置している第1のサブフレームに位置し、前記強化型物理ダウンリンク制御チャネルは、前記プリアンブル信号の後のシンボル中に位置し、0＜n＜Nであり、n及びNはともに自然数である。
【０００８】
第1の可能な実装方法に関連して、第2の可能な実装方法において、前記ダウンリンク制御チャネルが前記プリアンブル信号に続く前記n個のシンボル中に位置している場合に、前記データは、前記ダウンリンク制御チャネルの後のシンボル中に存在し、前記ダウンリンク制御チャネルが、前記第1のサブフレームの前記最後のn個のシンボル中に位置している場合に、前記データは、前記プリアンブル信号と前記ダウンリンク制御チャネルとの間のシンボル中に存在し、又は、前記ダウンリンク制御チャネルが前記強化型物理ダウンリンク制御チャネルである場合に、前記データは、前記プリアンブル信号の後のシンボル中に位置している。
【０００９】
第1の可能な実装方法に関連して、第3の可能な実装方法において、前記ダウンリンク制御情報は、位置指示情報をさらに含み、前記位置指示情報は、前記時間領域における前記第1のサブフレームの中の前記データの開始シンボルmを示すのに使用され、前記ダウンリンク制御チャネルが前記プリアンブル信号に続く前記n個のシンボル中に位置する場合に、前記データは、前記第1のサブフレームの最後のシンボルと前記シンボルmとの間にあり、又は、前記ダウンリンク制御チャネルが、前記プリアンブル信号が位置している前記第1のサブフレームの前記最後のn個のシンボル中に位置している場合に、前記データは、前記ダウンリンク制御チャネルの前のシンボルと前記シンボルmとの間に存在する。
【００１０】
第1から第3の可能な実装方法に関連して、第4の可能な実装方法において、前記プリアンブル信号は、前記時間領域インターバルの先頭にある少なくとも1つのシンボル中に存在する。
【００１１】
第1の態様又は第1から第4の可能な実装方法のいずれか1つに関連して、第5の可能な実装方法において、前記ダウンリンク制御情報は、継続時間指示情報をさらに含み、前記継続時間指示情報は、前記免許不要の周波数帯における前記基地局の利用可能な継続時間を示すのに使用される。
【００１２】
第5の可能な実装方法に関連して、第6の可能な実装方法において、前記ダウンリンク制御情報は、第1のダウンリンク制御情報及び第2のダウンリンク制御情報を含み、前記スケジューリング指示情報は、前記第1のダウンリンク制御情報の中に存在し、前記継続時間指示情報は、前記第2のダウンリンク制御情報の中に存在し、前記第1のダウンリンク制御情報は、ユーザ固有の検索インターバル内に存在し、前記第2のダウンリンク制御情報は、共用の検索インターバル内に存在する。
【００１３】
第1の態様又は第1から第6の可能な実装方法のいずれか1つに関連して、第7の可能な実装方法において、前記プリアンブル信号は、前記免許不要の周波数帯における前記利用可能な継続時間を示すのに使用され、前記利用可能な継続時間は、前記利用可能な時間−周波数リソースの前記時間領域インターバルの長さである。
【００１４】
第7の可能な実装方法に関連して、第8の可能な実装方法において、少なくとも2つの異なるプリアンブル信号が、異なる継続時間を示す。
【００１５】
第6から第8の可能な実装方法のいずれか1つに関連して、第9の可能な実装方法において、当該方法は、第2のサブフレームの先頭にあるn個のシンボルで、前記第1のサブフレームがスケジューリングされる前記ダウンリンク制御チャネルを前記基地局によって送信するステップをさらに含み、前記第2のサブフレームは、前記継続時間の中であって前記第1のサブフレームの後に存在する。
【００１６】
第1の態様又は第1から第9の可能な実装方法のいずれか1つに関連して、第10の可能な実装方法において、前記プリアンブル信号は前記時間領域において固定された継続時間を占有する。
【００１７】
第1の態様又は第1から第10の可能な実装方法のいずれか1つに関連して、第11の可能な実装方法において、前記プリアンブル信号は、少なくとも1つのあらかじめ設定されたシーケンスの中のシーケンスである。
【００１８】
第2の態様によれば、基地局が提供され、当該基地局は、免許不要の周波数帯における利用可能な時間−周波数リソースの時間領域インターバルを決定するように構成される処理ユニットであって、前記利用可能な時間−周波数リソースは、時間領域において連続している時間−周波数リソースである、処理ユニットと、前記時間領域インターバルの中の第1のサブフレームによってプリアンブル信号を送信するように構成される送信ユニットであって、前記第1のサブフレームは、前記時間領域インターバルの中の最初のサブフレームである、送信ユニットと、を含み、前記送信ユニットは、さらに、前記送信ユニットが前記プリアンブル信号を送信した後に、ダウンリンク制御情報及びデータを送信するように構成され、前記データは、前記第1のサブフレームに存在し、前記ダウンリンク制御情報は、スケジューリング指示情報を含み、前記スケジューリング指示情報は、前記データの周波数領域位置を示すのに使用される。
【００１９】
第1の可能な実装方法において、前記ダウンリンク制御情報は、ダウンリンク制御チャネルに存在し、前記第1のサブフレームは、前記時間領域にN個のシンボルを含み、前記ダウンリンク制御チャネルは、前記プリアンブル信号に続くn個のシンボル中に位置するか、又は、前記ダウンリンク制御チャネルは、前記第1のサブフレームの最後のn個のシンボル中に位置するか、又は、前記ダウンリンク制御チャネルは、強化型物理ダウンリンク制御チャネルであり、前記強化型物理ダウンリンク制御チャネルは、前記プリアンブル信号が位置している第1のサブフレームに位置し、前記強化型物理ダウンリンク制御チャネルは、前記プリアンブル信号の後のシンボル中に位置し、0＜n＜Nであり、n及びNはともに自然数である。
【００２０】
第1の可能な実装方法に関連して、第2の可能な実装方法において、前記ダウンリンク制御チャネルが、前記プリアンブル信号に続く前記n個のシンボル中に位置している場合に、前記データは、前記ダウンリンク制御チャネルの後のシンボル中に存在し、前記ダウンリンク制御チャネルが、前記第1のサブフレームの前記最後のn個のシンボル中に位置している場合に、前記データは、前記プリアンブル信号と前記ダウンリンク制御チャネルとの間のシンボル中に存在し、又は、前記ダウンリンク制御チャネルが前記強化型物理ダウンリンク制御チャネルである場合に、前記データは、前記プリアンブル信号の後のシンボル中に位置している。
【００２１】
第1の可能な実装方法に関連して、第3の可能な実装方法において、前記ダウンリンク制御情報は、位置指示情報をさらに含み、前記位置指示情報は、前記時間領域における前記第1のサブフレームの中の前記データの開始シンボルmを示すのに使用され、前記ダウンリンク制御チャネルが、前記プリアンブル信号に続く前記n個のシンボル中に位置する場合に、前記データは、前記第1のサブフレームの最後のシンボルと前記シンボルmとの間に存在し、又は、前記ダウンリンク制御チャネルが、前記プリアンブル信号が位置している前記第1のサブフレームの前記最後のn個のシンボル中に位置している場合に、前記データは、前記ダウンリンク制御チャネルの前のシンボルと前記シンボルmとの間に存在する。
【００２２】
第1から第3の可能な実装方法に関連して、第4の可能な実装方法において、前記プリアンブル信号は、前記時間領域インターバルの先頭にある少なくとも1つのシンボル中に存在する。
【００２３】
第1の態様又は第2から第4の可能な実装方法のいずれか1つに関連して、第5の可能な実装方法において、前記ダウンリンク制御情報は、継続時間指示情報をさらに含み、前記継続時間指示情報は、前記免許不要の周波数帯における前記基地局の利用可能な継続時間を示すのに使用される。
【００２４】
第5の可能な実装方法に関連して、第6の可能な実装方法において、前記ダウンリンク制御情報は、第1のダウンリンク制御情報及び第2のダウンリンク制御情報を含み、前記スケジューリング指示情報は、前記第1のダウンリンク制御情報の中に存在し、前記継続時間指示情報は、前記第2のダウンリンク制御情報の中に存在し、前記第1のダウンリンク制御情報は、ユーザ固有の検索インターバル内に存在し、前記第2のダウンリンク制御情報は、共用の検索インターバル内に存在する。
【００２５】
第2の態様又は第1から第6の可能な実装方法のいずれか1つに関連して、第7の可能な実装方法において、前記プリアンブル信号は、前記免許不要の周波数帯における前記基地局の前記利用可能な継続時間を示すのに使用され、少なくとも2つの異なるプリアンブル信号が、異なる継続時間に対応している。
【００２６】
第7の可能な実装方法に関連して、第8の可能な実装方法において、少なくとも2つの異なるプリアンブル信号は、異なる継続時間を示す。
【００２７】
第6から第8の可能な実装方法のいずれか1つに関連して、第9の可能な実装方法において、前記送信ユニットは、さらに、第2のサブフレームの先頭にあるn個のシンボルで、前記第1のサブフレームがスケジューリングされる前記ダウンリンク制御チャネルを送信するように構成され、前記第2のサブフレームは、前記継続時間の中であって前記第1のサブフレームの後に存在する。
【００２８】
第2の態様又は第1から第9の可能な実装方法のいずれか1つに関連して、第10の可能な実装方法において、前記プリアンブル信号は前記時間領域において固定された継続時間を占有する。
【００２９】
第2の態様又は第1から第10の可能な実装方法のいずれか1つに関連して、第11の可能な実装方法において、前記送信ユニットによって送信される前記プリアンブル信号は、少なくとも1つのあらかじめ設定されたシーケンス中のシーケンスである。
【００３０】
第3の態様によれば、データ送信方法が提供され、当該方法は、免許不要の周波数帯における利用可能な時間−周波数リソースの時間領域インターバルを基地局によって決定するステップであって、前記利用可能な時間−周波数リソースは、時間領域において連続している時間−周波数リソースである、ステップと、前記基地局によってダウンリンク制御情報及びデータを送信するステップであって、前記データは、第1のサブフレームに存在し、前記第1のサブフレームは、前記時間領域インターバルの中の最初のサブフレームであり、前記ダウンリンク制御情報は、ダウンリンク制御チャネルに存在し、前記ダウンリンク制御情報は、スケジューリング指示情報及び位置指示情報を含み、前記スケジューリング指示情報は、前記データの周波数領域位置を示すのに使用され、前記位置指示情報は、前記データの時間領域位置を示すのに使用される、ステップとを含む。
【００３１】
第1の可能な実装方法において、前記第1のサブフレームは、前記時間領域にN個のシンボルを含み、前記ダウンリンク制御チャネルは、第2のサブフレームの先頭にあるn個のシンボルの中に位置し、前記位置指示情報は、さらに、前記第1のサブフレームが前記第2のサブフレームの前のサブフレームであるということを示すのに使用され、又は、前記ダウンリンク制御チャネルは、前記第1のサブフレームの最後のn個のシンボルの中に位置し、0＜n＜Nであり、n及びNはともに自然数である。
【００３２】
第1の可能な実装方法に関連して、第2の可能な実装方法において、前記位置指示情報は、前記時間領域における前記第1のサブフレームの中の前記データの開始シンボルmを示すのに使用され、前記ダウンリンク制御チャネルが、前記第2のサブフレームの先頭にある前記n個のシンボルの中に位置する場合に、前記第1のサブフレームの中のデータは、前記第1のサブフレームの最後のシンボルと前記シンボルmとの間に存在し、又は、前記ダウンリンク制御チャネルが、前記第1のサブフレームの前記最後のn個のシンボルの中に位置する場合に、前記第1のサブフレームの中の前記データは、前記シンボルmの後であって且つ前記ダウンリンク制御チャネルの前に存在する。
【００３３】
第3の態様、第1の可能な実装方法、又は第2の可能な実装方法のいずれか1つに関連して、第3の可能な実装方法において、前記ダウンリンク制御情報は継続時間指示情報をさらに含み、前記継続時間指示情報は、前記免許不要の周波数帯における前記基地局の利用可能な継続時間を示すのに使用される。
【００３４】
第3の可能な実装方法に関連して、第4の可能な実装方法において、前記ダウンリンク制御情報は、第1のダウンリンク制御情報及び第2のダウンリンク制御情報を含み、前記スケジューリング指示情報は、前記第1のダウンリンク制御情報の中に存在し、前記継続時間指示情報は、前記第2のダウンリンク制御情報の中に存在し、前記第1のダウンリンク制御情報は、ユーザ固有の検索インターバル内に存在し、前記第2のダウンリンク制御情報は、共用の検索インターバル内に存在する。
【００３５】
第3の可能な実装方法又は第4の可能な実装方法に関連して、第5の可能な実装方法において、当該方法は、前記第2のサブフレームの先頭にある前記n個のシンボルで、前記第1のサブフレームがスケジューリングされる前記ダウンリンク制御チャネルを前記基地局によって送信するステップをさらに含み、前記第2のサブフレームは、前記継続時間の中であって前記第1のサブフレームの後に存在する。
【００３６】
第4の態様によれば、基地局が提供され、当該基地局は、免許不要の周波数帯における利用可能な時間−周波数リソースの時間領域インターバルを決定するように構成される処理ユニットであって、前記利用可能な時間−周波数リソースは、時間領域において連続している時間−周波数リソースである、処理ユニットと、ダウンリンク制御情報及びデータを送信するように構成される送信ユニットであって、前記データは、第1のサブフレームに存在し、前記第1のサブフレームは、前記時間領域インターバルの中で最初のサブフレームであり、前記ダウンリンク制御情報は、ダウンリンク制御チャネルに存在し、前記ダウンリンク制御情報は、スケジューリング指示情報及び位置指示情報を含み、前記スケジューリング指示情報は、前記データの周波数領域位置を示すのに使用され、前記位置指示情報は、前記データの時間領域位置を示すのに使用される、送信ユニットとを含む。
【００３７】
第1の可能な実装方法において、前記第1のサブフレームは、前記時間領域にN個のシンボルを含み、前記ダウンリンク制御チャネルは、第2のサブフレームの先頭にあるn個のシンボル中に位置し、前記位置指示情報は、さらに、前記第1のサブフレームが前記第2のサブフレームの前のサブフレームであるということを示すのに使用され、又は、前記ダウンリンク制御チャネルは、前記第1のサブフレームの最後のn個のシンボル中に位置し、0＜n＜Nであり、n及びNはともに自然数である。
【００３８】
第1の可能な実装方法に関連して、第2の可能な実装方法において、前記位置指示情報は、前記時間領域における前記第1のサブフレームの中の前記データの開始シンボルmを示すのに使用され、前記ダウンリンク制御チャネルが前記第2のサブフレームの先頭にある前記n個のシンボル中に位置する場合に、前記第1のサブフレームの中の前記データは、前記第1のサブフレームの最後のシンボルと前記シンボルmとの間に存在し、又は、前記ダウンリンク制御チャネルが前記第1のサブフレームの前記最後のn個のシンボル中に位置する場合に、前記第1のサブフレームの中の前記データは、前記シンボルmの後であって且つ前記ダウンリンク制御チャネルの前に存在する。
【００３９】
第4の態様、第1の可能な実装方法、又は第2の可能な実装方法のいずれか1つに関連して、第3の可能な実装方法において、前記ダウンリンク制御情報は、継続時間指示情報をさらに含み、前記継続時間指示情報は、前記免許不要の周波数帯における前記基地局の利用可能な継続時間を示すのに使用される。
【００４０】
第3の可能な実装方法に関連して、第4の可能な実装方法において、前記ダウンリンク制御情報は、第1のダウンリンク制御情報及び第2のダウンリンク制御情報を含み、前記スケジューリング指示情報は、前記第1のダウンリンク制御情報の中に存在し、前記継続時間指示情報は、前記第2のダウンリンク制御情報の中に存在し、前記第1のダウンリンク制御情報は、ユーザ固有の検索インターバル内に存在し、前記第2のダウンリンク制御情報は、共用の検索インターバル内に存在する。
【００４１】
第3又は第4の可能な実装方法に関連して、第5の可能な実装方法において、前記送信ユニットは、さらに、前記第2のサブフレームの先頭にある前記n個のシンボルで、前記第1のサブフレームがスケジューリングされる前記ダウンリンク制御チャネルを送信するように構成され、前記第2のサブフレームは、前記継続時間の中であって前記第1のサブフレームの後に存在する。
【００４２】
第5の態様によれば、データ受信方法が提供され、当該方法は、ユーザ機器によってダウンリンク制御チャネルに検出を実行してダウンリンク制御情報を取得するステップであって、前記ダウンリンク制御情報は、スケジューリング指示情報を含み、前記スケジューリング指示情報は、第1のサブフレームの中のスケジューリングされたデータの周波数領域位置を示すのに使用される、ステップと、前記ダウンリンク制御チャネル中の位置指示情報にしたがって又は前記ダウンリンク制御チャネルの前に免許不要の周波数帯で受信されたプリアンブル信号にしたがって、前記第1のサブフレームの中のデータの時間領域位置を前記ユーザ機器によって決定するステップであって、前記位置指示情報は、前記第1のサブフレームの中の前記データの前記時間領域位置を示すのに使用される、ステップと、前記データの前記周波数領域位置及び前記時間領域位置にしたがって、前記ユーザ機器によって前記免許不要の周波数帯の中で前記データを受信するステップとを含む。
【００４３】
第1の可能な実装方法において、ユーザ機器によってダウンリンク制御チャネルに検出を実行してダウンリンク制御情報を取得するステップの前に、当該方法は、前記ユーザ機器によって前記免許不要の周波数帯の中で前記プリアンブル信号を受信するステップをさらに含み、前記プリアンブル信号は、少なくとも1つのあらかじめ設定されたシーケンスの中のシーケンスである。
【００４４】
第1の可能な実装方法に関連して、第2の可能な実装方法において、ユーザ機器によってダウンリンク制御チャネルに検出を実行してダウンリンク制御情報を取得するステップの前に、当該方法は、前記プリアンブル信号を受信した後に、前記プリアンブル信号にしたがって前記免許不要の周波数帯の中の前記ダウンリンク制御チャネルの位置を前記ユーザ機器によって決定するステップをさらに含む。
【００４５】
第2の可能な実装方法に関連して、第3の可能な実装方法において、前記サブフレームは、前記時間領域にN個のシンボルを含み、前記ダウンリンク制御チャネルは、前記プリアンブル信号に続くn個のシンボル中に位置するか、又は、前記ダウンリンク制御チャネルは、前記プリアンブル信号が位置しているサブフレームの最後のn個のシンボル中に位置するか、又は、前記ダウンリンク制御チャネルは強化型物理ダウンリンク制御チャネルであり、前記強化型物理ダウンリンク制御チャネルは、前記プリアンブル信号が位置しているサブフレームに位置し、前記強化型物理ダウンリンク制御チャネルは、前記プリアンブル信号の後のシンボル中に位置し、前記第1のサブフレームは、前記プリアンブル信号が位置している前記サブフレームであり、0＜n＜Nであり、n及びNはともに自然数である。
【００４６】
第3の可能な実装方法に関連して、第4の可能な実装方法において、前記ダウンリンク制御チャネルの前に受信されたプリアンブル信号にしたがって、前記第1のサブフレームの中の前記データの時間領域位置を前記ユーザ機器によって決定するステップは、前記プリアンブル信号が位置しているシンボルを前記ユーザ機器によって決定するステップと、前記プリアンブル信号が位置している前記シンボル及び前記ダウンリンク制御チャネルが位置しているシンボルにしたがって、前記第1のサブフレームの中の前記データが位置しているシンボルをユーザ機器によって決定するステップとを含む。
【００４７】
第3の可能な実装方法に関連して、第5の可能な実装方法において、前記位置指示情報は、前記時間領域における前記第1のサブフレームの中の前記データの開始シンボルmを示すのに使用され、前記ダウンリンク制御チャネル中の位置指示情報にしたがって前記第1のサブフレームの中の前記データの時間領域位置を前記ユーザ機器によって決定するステップは、前記ダウンリンク制御チャネルが、前記プリアンブル信号に続く前記n個のシンボル中に位置している場合に、前記第1のサブフレームの中の前記データが前記第1のサブフレームの最後のシンボルと前記シンボルmとの間に存在するということを前記ユーザ機器によって決定するステップ、又は、前記ダウンリンク制御チャネルが、前記プリアンブル信号が位置している前記第1のサブフレームの前記最後のn個のシンボル中に位置している場合に、前記第1のサブフレームの中の前記データが前記ダウンリンク制御チャネルの前のシンボルと前記シンボルmとの間に存在するということを前記ユーザ機器によって決定するステップを含む。
【００４８】
第6の可能な実装方法において、前記ダウンリンク制御チャネルは、検出されたサブフレームの最後のn個のシンボル中に位置し、前記第1のサブフレームは、前記ダウンリンク制御チャネルが位置しているサブフレームである。
【００４９】
第7の可能な実装方法において、ユーザ機器によってダウンリンク制御チャネルに検出を実行してダウンリンク制御情報を取得するステップは、前記ユーザ機器によって第1のダウンリンク制御チャネル及び第2のダウンリンク制御チャネルに検出を実行するステップを含み、前記第1のダウンリンク制御チャネルは、検出されたサブフレームの先頭のn個のシンボル中に位置し、前記第2のダウンリンク制御チャネルは、前記検出されたサブフレームの最後のn個のシンボル中に位置し、前記ダウンリンク制御情報が前記第2のダウンリンク制御チャネルで得られる場合には、前記ダウンリンク制御情報は、前記スケジューリング指示情報を含んでおり、前記第1のサブフレームは、前記ダウンリンク制御チャネルが位置しているサブフレームである。
【００５０】
第6又は第7の可能な実装方法に関連して、第8の可能な実装方法において、前記位置指示情報は、前記時間領域における前記第1のサブフレームの中の前記データの開始シンボルmを示すのに使用され、前記ダウンリンク制御チャネルの中の位置指示情報にしたがって前記第1のサブフレームの中の前記データの時間領域位置を前記ユーザ機器によって決定するステップは、前記第1のサブフレームの中の前記データが前記ダウンリンク制御チャネルの前のシンボルと前記シンボルmとの間に存在するということを前記ユーザ機器によって決定するステップを含む。
【００５１】
第9の可能な実装方法において、ユーザ機器によってダウンリンク制御チャネルに検出を実行してダウンリンク制御情報を取得するステップは、前記ユーザ機器によって前記ダウンリンク制御チャネルに検出を実行して前記ダウンリンク制御情報を取得するステップであって、前記ダウンリンク制御チャネルは、検出されたサブフレームの先頭のn個のシンボル中に位置している、ステップと、前記ダウンリンク制御情報が前記位置指示情報を含む場合に、前記第1のサブフレームが、前記ダウンリンク制御チャネルが位置しているサブフレームの前のサブフレームであるということを前記ユーザ機器によって決定するステップとを含む。
【００５２】
第9の可能な実装方法に関連して、第10の可能な実装方法において、前記位置指示情報は、前記時間領域における前記第1のサブフレームの中の前記データの開始シンボルmを示すのに使用され、前記ダウンリンク制御チャネル中の位置指示情報にしたがって前記第1のサブフレームの中の前記データの時間領域位置を前記ユーザ機器によって決定するステップは、前記第1のサブフレームの中の前記データが前記第1のサブフレームの最後のシンボルと前記シンボルmとの間に存在するということを前記ユーザ機器によって決定するステップを含む。
【００５３】
第5の態様又は第1から第10の可能な実装方法のいずれか1つに関連して、第11の可能な実装方法において、前記ダウンリンク制御情報は継続時間指示情報をさらに含み、前記継続時間指示情報は、前記免許不要の周波数帯における基地局の利用可能な継続時間を示すのに使用される。
【００５４】
第11の可能な実装方法に関連して、第12の可能な実装方法において、前記ダウンリンク制御情報は、第1のダウンリンク制御情報及び第2のダウンリンク制御情報を含み、前記スケジューリング指示情報は、前記第1のダウンリンク制御情報の中に存在し、前記継続時間指示情報は、前記第2のダウンリンク制御情報の中に存在し、前記第1のダウンリンク制御情報は、ユーザ固有の検索インターバル内に存在し、前記第2のダウンリンク制御情報は、共用の検索インターバル内に存在する。
【００５５】
第5の態様又は第1から第5の可能な実装方法のいずれか1つに関連して、第13の可能な実装方法において、前記プリアンブル信号は、前記免許不要の周波数帯における基地局の利用可能な継続時間を示すのに使用され、少なくとも2つの異なるプリアンブル信号が、異なる継続時間に対応している。
【００５６】
第11から第13の可能な実装方法のいずれか1つに関連して、第14の可能な実装方法において、当該方法は、第2のサブフレームの先頭にあるn個のシンボルによって、前記第2のサブフレームがスケジューリングされている前記ダウンリンク制御チャネルに関する検出を前記ユーザ機器によって実行するステップをさらに含み、前記第2のサブフレームは、前記継続時間の中であって前記第1のサブフレームの後に存在する。
【００５７】
第5の態様又は第1から第14の可能な実装方法のいずれか1つに関連して、第15の可能な実装方法において、前記プリアンブル信号は、前記時間領域において固定された継続時間を占有する。
【００５８】
第6の態様によれば、ユーザ機器が提供され、当該ユーザ機器は、ダウンリンク制御チャネルに検出を実行してダウンリンク制御情報を取得するように構成される処理ユニットであって、前記ダウンリンク制御情報は、スケジューリング指示情報を含み、前記スケジューリング指示情報は、第1のサブフレームの中のスケジューリングされたデータの周波数領域位置を示すのに使用され、処理ユニットは、さらに、前記ダウンリンク制御チャネル中の位置指示情報にしたがって又は前記ダウンリンク制御チャネルの前に免許不要の周波数帯で受信されたプリアンブル信号にしたがって、前記第1のサブフレームの中の前記データの時間領域位置を決定するように構成され、前記位置指示情報は、前記第1のサブフレームの中の前記データの時間領域位置を示すのに使用される、処理ユニットと、前記データの前記周波数領域位置及び前記時間領域位置にしたがって、前記免許不要の周波数帯の中で前記データを受信するように構成される受信ユニットとを含む。
【００５９】
第1の可能な実装方法において、前記処理ユニットが前記ダウンリンク制御チャネルに検出を実行して前記ダウンリンク制御情報を取得する前に、前記受信ユニットは、さらに、前記免許不要の周波数帯の中で前記プリアンブル信号を受信することを含み、前記プリアンブル信号は、少なくとも1つのあらかじめ設定されたシーケンスの中のシーケンスである。
【００６０】
第1の可能な実装方法に関連して、第2の可能な実装方法において、前記処理ユニットが前記ダウンリンク制御チャネルに検出を実行して前記ダウンリンク制御情報を取得する前に、前記処理ユニットは、さらに、前記プリアンブル信号を受信した後に、前記プリアンブル信号にしたがって前記免許不要の周波数帯の中での前記ダウンリンク制御チャネルの位置を前記処理ユニットによって決定することを含む。
【００６１】
第2の可能な実装方法に関連して、第3の可能な実装方法において、前記サブフレームは、前記時間領域にN個のシンボルを含み、前記ダウンリンク制御チャネルは、前記プリアンブル信号に続くn個のシンボル中に位置するか、又は、前記ダウンリンク制御チャネルは、前記プリアンブル信号が位置しているサブフレームの最後のn個のシンボル中に位置するか、又は、前記ダウンリンク制御チャネルは、強化型物理ダウンリンク制御チャネルであり、前記強化型物理ダウンリンク制御チャネルは、前記プリアンブル信号が位置しているサブフレームに位置し、前記強化型物理ダウンリンク制御チャネルは、前記プリアンブル信号の後のシンボル中に位置し、前記第1のサブフレームは、前記プリアンブル信号が位置している前記サブフレームであり、0＜n＜Nであり、n及びNはともに自然数である。
【００６２】
第3の可能な実装方法に関連して、第4の可能な実装方法において、前記処理ユニットが、前記ダウンリンク制御チャネルの前に受信された前記プリアンブル信号にしたがって、前記第1のサブフレームの中の前記データの前記時間領域位置を決定することは、前記処理ユニットが、前記プリアンブル信号が位置しているシンボルを決定すること、及び、前記処理ユニットが、前記プリアンブル信号が位置している前記シンボル及び前記ダウンリンク制御チャネルが位置しているシンボルにしたがって、前記第1のサブフレームの中の前記データが位置しているシンボルを決定することを含む。
【００６３】
第3の可能な実装方法に関連して、第5の可能な実装方法において、前記位置指示情報は、前記時間領域における前記第1のサブフレームの中の前記データの開始シンボルmを示すのに使用され、前記処理ユニットが、前記ダウンリンク制御チャネル中の前記位置指示情報にしたがって、前記第1のサブフレームの中の前記データの前記時間領域位置を決定することは、前記ダウンリンク制御チャネルが、前記プリアンブル信号に続くn個のシンボル中に位置している場合に、前記処理ユニットは、前記第1のサブフレームの中の前記データが、前記第1のサブフレームの最後のシンボルと前記シンボルmとの間にあるということを決定すること、又は、前記ダウンリンク制御チャネルが、前記プリアンブル信号が位置している前記第1のサブフレームの前記最後のn個のシンボル中に位置している場合に、前記第1のサブフレームの中の前記データが、前記ダウンリンク制御チャネルの前のシンボルと前記シンボルmとの間に存在するということを、前記処理ユニットが決定することを含む。
【００６４】
第6の可能な実装方法において、前記ダウンリンク制御チャネルは、検出されたサブフレームの最後のn個のシンボル中に位置し、前記第1のサブフレームは、前記ダウンリンク制御チャネルが位置しているサブフレームである。
【００６５】
第7の可能な実装方法において、前記処理ユニットが前記ダウンリンク制御チャネルに検出を実行して前記ダウンリンク制御情報を取得することは、前記処理ユニットが第1のダウンリンク制御チャネル及び第2のダウンリンク制御チャネルに検出を実行することを含み、前記第1のダウンリンク制御チャネルは、検出されたサブフレームの先頭のn個のシンボル中に位置し、前記第2のダウンリンク制御チャネルは、前記検出されたサブフレームの最後のn個のシンボル中に位置し、前記ダウンリンク制御情報が前記第2のダウンリンク制御チャネルで得られる場合には、前記ダウンリンク制御情報は、前記スケジューリング指示情報を含んでおり、前記第1のサブフレームは、前記ダウンリンク制御チャネルが位置しているサブフレームである。
【００６６】
第6又は第7の可能な実装方法に関連して、第8の可能な実装方法において、前記位置指示情報は、前記時間領域における前記第1のサブフレームの中の前記データの開始シンボルmを示すのに使用され、前記処理ユニットが、前記ダウンリンク制御チャネル中の前記位置指示情報にしたがって、前記第1のサブフレームの中の前記データの前記時間領域位置を決定することは、前記第1のサブフレームの中の前記データが、前記ダウンリンク制御チャネルの前のシンボルと前記シンボルmとの間に存在するということを、前記処理ユニットが決定することを含む。
【００６７】
第9の可能な実装方法において、前記処理ユニットが、前記ダウンリンク制御チャネルに検出を実行して前記ダウンリンク制御情報を取得することは、前記処理ユニットが、前記ダウンリンク制御チャネルに検出を実行して前記ダウンリンク制御情報を取得することであって、前記ダウンリンク制御チャネルが、検出されたサブフレームの先頭のn個のシンボル中に位置すること、及び、前記ダウンリンク制御情報が前記位置指示情報を含んでいる場合に、前記第1のサブフレームが、前記ダウンリンク制御チャネルが位置しているサブフレームの前のサブフレームであるということを、前記処理ユニットが決定することを含む。
【００６８】
第9の可能な実装方法に関連して、第10の可能な実装方法において、前記位置指示情報は、前記時間領域における前記第1のサブフレームの中の前記データの開始シンボルmを示すのに使用され、前記処理ユニットが、前記ダウンリンク制御チャネル中の前記位置指示情報にしたがって、前記第1のサブフレームの中の前記データの前記時間領域位置を決定することは、前記第1のサブフレームの中の前記データが、前記第1のサブフレームの最後のシンボルと前記シンボルmとの間に存在するということを、前記処理ユニットが決定することを含む。
【００６９】
第6の態様又は第1から第10の可能な実装方法のいずれか1つに関連して、第11の可能な実装方法において、前記ダウンリンク制御情報は、継続時間指示情報をさらに含み、前記継続時間指示情報は、前記免許不要の周波数帯における基地局の利用可能な継続時間を示すのに使用される。
【００７０】
第11の可能な実装方法に関連して、第12の可能な実装方法において、前記ダウンリンク制御情報は、第1のダウンリンク制御情報及び第2のダウンリンク制御情報を含み、前記スケジューリング指示情報は、前記第1のダウンリンク制御情報の中に存在し、前記継続時間指示情報は、前記第2のダウンリンク制御情報の中に存在し、前記第1のダウンリンク制御情報は、ユーザ固有の検索インターバル内に存在し、前記第2のダウンリンク制御情報は、共用の検索インターバル内に存在する。
【００７１】
第6の態様又は第1から第5の可能な実装方法のいずれか1つに関連して、第13の可能な実装方法において、前記プリアンブル信号は、前記免許不要の周波数帯における基地局の利用可能な継続時間を示すのに使用され、少なくとも2つの異なるプリアンブル信号が、異なる継続時間に対応している。
【００７２】
第11から第13の可能な実装方法のいずれか1つに関連して、第14の可能な実装方法において、当該ユーザ機器は、第2のサブフレームの先頭にあるn個のシンボルによって、前記第2のサブフレームがスケジューリングされている前記ダウンリンク制御チャネルに関する検出を前記処理ユニットによって実行することをさらに含み、前記第2のサブフレームは、前記継続時間の中であって前記第1のサブフレームの後に存在する。
【００７３】
第6の態様又は第1から第14の可能な実装方法のいずれか1つに関連して、第15の可能な実装方法において、前記プリアンブル信号は前記時間領域において固定された継続時間を占有する。
【００７４】
従来技術では、基地局は、免許不要の周波数帯における利用可能な時間−周波数リソースの時間領域インターバルを決定した後にプリアンブルのみを送信する。従来技術におけるプリアンブルは、チャネルを占有するために使用されるにすぎず、そのプリアンブルがチャネルを占有している場合には、ユーザ機器はデータもスケジューリング情報も受信することができない。しかしながら、本発明の実施形態では、基地局が免許不要の周波数帯における利用可能な時間−周波数リソースの時間領域インターバルを決定した後に、その基地局は、その時間領域インターバルの中の第1のサブフレームでプリアンブル信号を送信し、次いでダウンリンク制御情報及びデータを送信するか、或いは、その基地局は、その時間領域インターバルの中の第1のサブフレームでダウンリンク制御情報及びデータを送信する。データは第1のサブフレームに存在する。したがって、少なくともデータが第1のサブフレームで送信され、それにより周波数帯利用リソースを改善する。
【００７５】
本発明の実施形態における技術的解決法をより明瞭に説明するために、以下で、実施形態又は従来技術を説明するために必要とされる添付図面について簡単に説明する。明らかであるように、以下の説明における添付図面は、本発明のいくつかの実施形態を示すに過ぎず、当業者は、創造的な努力なしに、それらの添付図面からなお他の図面を導き出すことができる。
【図面の簡単な説明】
【００７６】
【図１】本発明の1つの実施形態にしたがった免許不要のキャリアのサブフレームの構造図である。
【図２】本発明の1つの実施形態にしたがったシステムの図である。
【図３】本発明の1つの実施形態にしたがったデータ送信方法を示す図である。
【図４】本発明の1つの実施形態にしたがった基地局を示す図である。
【図５】本発明の1つの実施形態にしたがったデータ送信方法を示す図である。
【図６】本発明の1つの実施形態にしたがった基地局を示す図である。
【図７】本発明の1つの実施形態にしたがったデータ送信方法を示す図である。
【図８】本発明の1つの実施形態にしたがったユーザ機器を示す図である。
【図９】本発明の1つの実施形態にしたがった免許不要のキャリアのサブフレームの構造図である。
【図１０】本発明の1つの実施形態にしたがった免許不要のキャリアのサブフレームの構造図である。
【図１１】本発明の1つの実施形態にしたがった免許不要のキャリアのサブフレームの構造図である。
【発明を実施するための形態】
【００７７】
以下に、本発明の実施形態における添付図面を参照して、本発明の実施形態における技術的解決法を明瞭且つ完全に説明する。明らかであるように、説明される実施形態は、本発明の実施形態のすべてではなく一部である。本発明の実施形態に基づいて創造的な努力なしに当業者が得ることができるすべての他の実施形態は、本発明の保護範囲に属するものとする。
【００７８】
本願の技術的解決法は、符号分割多元接続(Code  Division  Multiple  Access，CDMA)システム、広帯域符号分割多元接続(Wideband  Code  Division  Multiple  Access，WCDMA)システム、汎用パケット無線サービス(General  Packet  Radio  Service，GPRS)、LTEシステム、ロング・ターム・エボリューション・アドバンスト(Advanced  long  term  evolution，LTE−A)システム、及びユニバーサル・モバイル通信システム(Universal  Mobile  Telecommunication  System，UMTS)等の各種の通信システムに適用可能であるということを理解すべきである。これは、本願の実施形態においては制限されない。しかし、説明を容易にするために、本願の実施形態は、1つの例としてLTEシステムを使用して説明する。
【００７９】
図1は、免許不要のキャリアのサブフレームの構造図である。図1は、免許付与されたプライマリ・キャリア及び免許不要のセカンダリ・キャリアを示している。免許付与されたプライマリ・キャリアに対応するフレーム番号は、免許不要のセカンダリ・キャリアに対応するフレーム番号と同じであり、免許付与されたプライマリ・キャリアに対応するフレーム境界は、免許不要のセカンダリ・キャリアに対応するフレーム境界と位置が合わせられている。ECCAプロセスが免許不要のセカンダリ・キャリアに行われた後(言うまでもなく、又はCCAプロセスが行われた後、図1については例としてECCAを使用して説明する)、免許不要のセカンダリ・キャリアを使用してデータが送信される。基地局によって免許不要の周波数帯に行われるECCAの終了位置はサブフレーム境界と一致しないので、ECCAプロセスの終了からサブフレーム0までの期間は不完全なサブフレームとなり、データを送信することができない。従来技術では、この段階でプリアンブルを送信することが提案される。プリアンブルは、免許不要のセカンダリ・キャリアが位置するチャネル・リソースを基地局に占有させておくために使用される。具体的には、プリアンブル送信段階では、基地局は、ユーザ固有のスケジューリング情報もデータも送信することができない。したがって、プリアンブルが免許不要のセカンダリ・キャリアを占有しているとき、ユーザ機器は、データもスケジューリング情報も受信することができない。したがって、スケジューリング情報又はデータ情報は、ECCAが位置しているサブフレームでは送信することができない。これは、免許不要の周波数帯リソースの浪費を生じさせる。
【００８０】
図2は、本発明の実施形態によるシステムの概略図である。本発明の本実施形態において適用されるシステムは、基地局及びUEを含む。
【００８１】
本発明の本実施形態で提供される基地局は、UMTSにおけるNodeB(NB)、又はLTEにおける発展型NodeB(eNodeB，eNB)である可能性がある。基地局は、UEと通信し、UEからデータを受信し、そのデータを基地局コントローラ若しくはコア・ネットワーク・デバイスに送信するか、又はそのデータを対応する一次基地局に送信し、次いで一次基地局が基地局コントローラ又はコア・ネットワーク・デバイスにデータを送信する。
【００８２】
本発明の本実施形態において提供されるUEは、これらに限定されないが、モバイル局(MS，Mobile  Station)、モバイル端末(Mobile  Terminal)、携帯電話(Mobile  Telephone)、ハンドセット(handset)、携帯型デバイス(portable  equipment)等であってもよい。
【００８３】
例えば、図2(a)に示すように、基地局は、免許付与されたプライマリ・キャリア1及び免許不要のセカンダリ・キャリア2を使用してUEと通信し、基地局はデータをコア・ネットワークに送信する。図2(b)に示すように、基地局1は免許付与されたプライマリ・キャリア1を使用してUEと通信し、基地局2は、免許付与されたプライマリ・キャリア2及び免許不要のセカンダリ・キャリア3を使用してUEと通信する。基地局2は基地局1と通信する。基地局1は一次基地局である。したがって、基地局1はコア・ネットワークにデータを送信する。図2(c)に示すように、基地局は、免許付与されたプライマリ・キャリア1及び免許不要のセカンダリ・キャリア2を使用してUEと通信し、基地局は、基地局コントローラを使用してコア・ネットワークにデータを送信する。
【００８４】
本発明の実施形態は、上述のシステム・アーキテクチャに基づく。それらの実施形態及びそれらの実施形態における特徴は、衝突がなければ互いに組み合わせることが可能であるということに留意すべきである。
【００８５】
図3は、本発明の1つの実施形態によるデータ送信方法を示し、この方法は以下のステップを含む。
【００８６】
ステップ31:基地局が、免許不要の周波数帯における利用可能な時間−周波数リソースの時間領域インターバルを決定する。利用可能な時間−周波数リソースは、時間領域において連続している時間−周波数リソースである。
【００８７】
ステップ32:基地局が、その時間領域インターバル中に第1のサブフレームでプリアンブル信号を送信する。第1のサブフレームは、その時間領域インターバル中で最初のサブフレームである。
【００８８】
ステップ33:基地局が、プリアンブル信号を送信した後に、ダウンリンク制御情報及びデータを送信する。
【００８９】
データは、第1のサブフレームに存在する。ダウンリンク制御情報は、スケジューリング指示情報を含んでいる。スケジューリング指示情報は、データの周波数領域位置を示すのに使用される。
【００９０】
従来技術では、基地局は、免許不要の周波数帯における利用可能な時間−周波数リソースの時間領域インターバルを決定した後にプリアンブルのみを送信する。従来技術におけるプリアンブルは、チャネルを占有するために使用されるにすぎない。したがって、別の基地局はそのチャネルを占有することができない。しかしながら、プリアンブルがチャネルを占有している場合には、ユーザ機器は、データもスケジューリング情報も受信することができない。これに対して、本発明の本実施形態では、基地局が免許不要の周波数帯における利用可能な時間−周波数リソースの時間領域インターバルを決定した後に、基地局は、その時間領域インターバルの中の第1のサブフレームでプリアンブル信号を送信し、次いで、ダウンリンク制御情報及びデータを送信する。データは、第1のサブフレームに存在する。したがって、少なくともデータが第1のサブフレームで送信され、それにより、その周波数帯リソースの浪費を回避し、周波数帯利用リソースを改善する。
【００９１】
選択的な実施形態において、プリアンブル信号は、少なくとも1つのあらかじめ設定されたシーケンスの中のシーケンスである。
【００９２】
選択的な実施形態において、基地局が免許不要の周波数帯における利用可能な時間−周波数リソースの時間領域インターバルを決定することは、基地局が、リッスンすることによって、第1のキャリアが位置しているワイヤレス・チャネルで信号が送信中であるかどうかをまず決定することができ、そのワイヤレス・チャネルを使用している別のデバイスがない場合、基地局は、第1のキャリアを使用して信号を送信できると決定することを含む。選択的に、基地局が送信対象信号を準備するための処理期間が必要とされてもよい。処理期間中にチャネルが別のデバイスによって占有されるのを防ぐために、基地局は、その期間中に特定の内容を特定の電力でそのチャネルにおいて送信してもよい。その場合、免許不要の周波数帯における利用可能な時間−周波数リソースの時間領域インターバルは、特定の内容が送信された後に開始すると決定される。
【００９３】
選択的に、プリアンブル信号は、具体的には、事前に定義されたシーケンスであってもよい。基地局は、事前に定義されたシーケンスを使用してプリアンブル信号を送信し、ユーザ機器は、事前に定義されたシーケンスにしたがってプリアンブル信号に検出を行う。事前に定義されたシーケンスは、ユーザ機器内にあらかじめ設定されても、又はメッセージを使用して基地局から受信されてもよい。選択的に、プリアンブル・シーケンスと免許不要の周波数帯との間に特定のマッピング関係が存在してもよく、それにより、ユーザ機器は、シーケンスにしたがって、プリアンブル信号を含んでいる信号を、免許不要のセカンダリ・キャリアに対応するサービング・セルの信号と判断する。
【００９４】
選択的に、第1のサブフレームは、時間領域にN個のシンボルを含んでいる。ダウンリンク制御チャネルは、プリアンブル信号に続くn個のシンボル中に位置する。
【００９５】
ダウンリンク制御チャネルが、プリアンブル信号に続くn個のシンボル中に位置するとき、データは、ダウンリンク制御チャネルの後のシンボル中にある。
【００９６】
選択的に、ダウンリンク制御チャネルは、プリアンブル信号が位置しているサブフレームの最後のn個のシンボル中に位置している。
【００９７】
ダウンリンク制御チャネルが、プリアンブル信号が位置しているサブフレームの最後のn個のシンボル中に位置している場合に、データは、プリアンブル信号とダウンリンク制御チャネルとの間のシンボル中にある。
【００９８】
選択的に、ダウンリンク制御チャネルは、強化型物理ダウンリンク制御チャネル(Enhanced  Physical  Downlink  Control  Channel，EPDCCH)である。強化型物理ダウンリンク制御チャネルは、プリアンブル信号が位置しているサブフレームに位置し、強化型物理ダウンリンク制御チャネルは、プリアンブル信号の後のシンボル中に位置し、ここで、0＜n＜Nであり、n及びNはともに自然数である。
【００９９】
ダウンリンク制御チャネルが強化型物理ダウンリンク制御チャネルであるとき、データは、プリアンブル信号の後のシンボル中にある。
【０１００】
選択的な実施形態において、ダウンリンク制御情報は位置指示情報をさらに含み、位置指示情報は、時間領域における第1のサブフレームの中のデータの開始シンボルmを示すのに使用される。
【０１０１】
選択的に、ダウンリンク制御チャネルが、プリアンブル信号に続くn個のシンボル中に位置するとき、データは、シンボルmと、第1のサブフレームの最後のシンボルとの間にある。
【０１０２】
選択的に、ダウンリンク制御チャネルが、プリアンブル信号が位置しているサブフレームの最後のn個のシンボル中に位置している場合に、データは、シンボルmと、ダウンリンク制御チャネルの前のシンボルとの間に存在する。
【０１０３】
上述のmは自然数である。
【０１０４】
選択的な実施形態において、プリアンブル信号は、時間領域インターバルの先頭にある少なくとも1つのシンボル中に存在する。
【０１０５】
選択的な実施形態において、ダウンリンク制御情報は継続時間指示情報をさらに含み、継続時間指示情報は、免許不要の周波数帯における基地局の利用可能な継続時間を示すのに使用される。
【０１０６】
選択的な実施形態において、ダウンリンク制御情報は、第1のダウンリンク制御情報及び第2のダウンリンク制御情報を含む。スケジューリング指示情報は、第1のダウンリンク制御情報の中にある。継続時間指示情報は、第2のダウンリンク制御情報の中にある。第1のダウンリンク制御情報は、ユーザ固有の検索インターバル内に存在し、第2のダウンリンク制御情報は、共用の検索インターバル内に存在する。
【０１０７】
選択的な実施形態において、ダウンリンク制御情報又はプリアンブル・メッセージはさらに、免許不要の周波数帯のセル識別子、免許不要の周波数帯の公衆携帯電話ネットワーク識別子、又はダウンリンク制御情報によって占有されているシンボルの量のうちの少なくとも1つを含む。
【０１０８】
選択的な実施形態において、プリアンブル信号は、免許不要の周波数帯における基地局の利用可能な継続時間を示すのに使用され、少なくとも2つの異なるプリアンブル信号が、異なる継続時間に対応している。
【０１０９】
選択的な実施形態において、基地局は、第2のサブフレームの先頭にあるn個のシンボルで、第1のサブフレームがスケジューリングされるダウンリンク制御チャネルを送信する。第2のサブフレームは、時間領域インターバル内にあり、第1のサブフレームの後にある。選択的な実施形態において、ダウンリンク制御情報はさらに順方向スケジューリング指示を含む。選択的に、順方向スケジューリング指示は、スケジューリング指示情報の中に含めてもよい。順方向スケジューリング指示は、順方向スケジューリング指示にしたがってダウンリンク制御情報を決定するためにユーザ機器によって使用され、また、ダウンリンク制御情報が位置しているサブフレームの前のサブフレームにデータをスケジューリングするために使用される。
【０１１０】
選択的な実施形態において、基地局は、第3のサブフレームの先頭にあるn個のシンボルで、第3のサブフレームがスケジューリングされたダウンリンク制御チャネルを送信する。第3のサブフレームは時間領域インターバル内にある。ダウンリンク制御情報はさらにデータ・シンボル指示情報を含み、ユーザ機器は、シンボル指示情報にしたがって、第3のサブフレーム中のデータの終了位置を決定する。選択的な実施形態において、第3のサブフレームは、時間領域インターバル中で最後のサブフレームである。
【０１１１】
選択的な実施形態において、プリアンブル信号は、時間領域において固定された継続時間を占有する。
【０１１２】
選択的な実施形態において、ダウンリンク制御情報又はプリアンブル信号はさらに無線ネットワーク一時識別子RNTIを含む。RNTIは、RNTIにしたがってダウンリンク制御情報を受信するためにユーザ機器によって使用される。選択的に、ダウンリンク制御情報はさらに、第1の信号を送信する継続時間、第1のキャリアのセル識別子、第1のキャリアの公衆携帯電話ネットワーク識別子、又はダウンリンク制御情報によって占有されているシンボルの量のうちの少なくとも1つを含んでもよい。
【０１１３】
図4は、本発明の1つの実施形態による基地局を示す。基地局は、図3に示す実施形態において提供されるデータ送信方法を実行するように構成することができる。基地局は、処理ユニット401及び送信ユニット402を含む。
【０１１４】
処理ユニット401は、免許不要の周波数帯における利用可能な時間−周波数リソースの時間領域インターバルを決定するように構成される。利用可能な時間−周波数リソースは、時間領域において連続した時間−周波数リソースである。
【０１１５】
送信ユニット402は、時間領域インターバルの中の第1のサブフレームによってプリアンブル信号を送信するように構成される。第1のサブフレームは、時間領域インターバル中の最初のサブフレームである。
【０１１６】
送信ユニット402はさらに、プリアンブル信号を送信した後にダウンリンク制御情報及びデータを送信するように構成される。データは第1のサブフレームに存在する。ダウンリンク制御情報は、スケジューリング指示情報を含み、スケジューリング指示情報は、データの周波数領域位置を示すのに使用される。
【０１１７】
従来技術では、基地局は、免許不要の周波数帯における利用可能な時間−周波数リソースの時間領域インターバルを決定した後、プリアンブルのみを送信する。従来技術におけるプリアンブルはチャネルを占有するために使用されるにすぎず、プリアンブルがチャネルを占有している場合には、ユーザ機器はデータもスケジューリング情報も受信することができない。しかしながら、本発明の本実施形態では、基地局が免許不要の周波数帯における利用可能な時間−周波数リソースの時間領域インターバルを決定した後、基地局は、その時間領域インターバル中の第1のサブフレームでプリアンブル信号を送信し、次いで、ダウンリンク制御情報及びデータを送信する。データは第1のサブフレームに存在する。したがって、少なくともデータが第1のサブフレームで送信され、それにより周波数帯利用リソースを改善する。
【０１１８】
選択的な実施形態において、送信ユニットによって送信されるプリアンブル信号は、少なくとも1つのあらかじめ設定されたシーケンス中のシーケンスである。
【０１１９】
選択的に、プリアンブル信号は、具体的には事前に定義されたシーケンスとすることができる。基地局は、事前に定義されたシーケンスを使用してプリアンブル信号を送信する。ユーザ機器は、事前に定義されたシーケンスにしたがってプリアンブル信号に検出を行う。事前に定義されたプリアンブル・シーケンスは、ユーザ機器内にあらかじめ設定されても、又はメッセージを使用して基地局から受信されてもよい。選択的に、プリアンブル・シーケンスと免許不要の周波数帯との間に特定のマッピング関係が存在してもよく、それにより、ユーザ機器はシーケンスにしたがって、プリアンブル信号を含んでいる信号を免許不要のセカンダリ・キャリアに対応するサービング・セルの信号と判断する。
【０１２０】
選択的な実施形態において、ダウンリンク制御情報は、ダウンリンク制御チャネルにあり、第1のサブフレームは、時間領域にN個のシンボルを含んでいる。ダウンリンク制御チャネルは、プリアンブル信号に続くn個のシンボル中に位置するか、又はダウンリンク制御チャネルは、第1のサブフレームの最後のn個のシンボル中に位置するか、又はダウンリンク制御チャネルは、強化型物理ダウンリンク制御チャネルであり、強化型物理ダウンリンク制御チャネルは、プリアンブル信号が位置している第1のサブフレームに位置し、強化型物理ダウンリンク制御チャネルはプリアンブル信号の後のシンボル中に位置し、ここで0＜n＜Nであり、n及びNはともに自然数である。
【０１２１】
選択的な実施形態において、ダウンリンク制御チャネルがプリアンブル信号に続くn個のシンボル中に位置するとき、データは、ダウンリンク制御チャネルの後のシンボル中にある。ダウンリンク制御チャネルが、プリアンブル信号が位置している第1のサブフレームの最後のn個のシンボル中に位置している場合に、データは、プリアンブル信号とダウンリンク制御チャネルとの間のシンボル中に存在し、又はダウンリンク制御チャネルが強化型物理ダウンリンク制御チャネルであるとき、データはプリアンブル信号の後のシンボル中にある。
【０１２２】
選択的な実施形態において、ダウンリンク制御情報はさらに位置指示情報を含み、位置指示情報は、時間領域における第1のサブフレームの中のデータの開始シンボルmを示すのに使用される。ダウンリンク制御チャネルがプリアンブル信号に続くn個のシンボル中に位置するとき、データは、シンボルmと、第1のサブフレームの最後のシンボルとの間にある。或いは、ダウンリンク制御チャネルが、プリアンブル信号が位置している第1のサブフレームの最後のn個のシンボル中に位置している場合に、データは、ダウンリンク制御チャネルの前のシンボルとシンボルmとの間に存在する。選択的に、mは自然数である。
【０１２３】
選択的な実施形態において、プリアンブル信号は、時間領域インターバルの先頭にある少なくとも1つのシンボル中に存在する。
【０１２４】
選択的な実施形態において、ダウンリンク制御情報はさらに継続時間指示情報を含み、継続時間指示情報は、免許不要の周波数帯における基地局の利用可能な継続時間を示すのに使用される。
【０１２５】
選択的な実施形態において、ダウンリンク制御情報は、第1のダウンリンク制御情報及び第2のダウンリンク制御情報を含む。スケジューリング指示情報は、第1のダウンリンク制御情報の中にある。継続時間指示情報は、第2のダウンリンク制御情報の中にある。第1のダウンリンク制御情報は、ユーザ固有の検索インターバル内に存在し、第2のダウンリンク制御情報は、共用の検索インターバル内に存在する。
【０１２６】
選択的な実施形態において、プリアンブル信号は、免許不要の周波数帯における利用可能な継続時間を示すのに使用され、利用可能な継続時間は、利用可能な時間−周波数リソースの時間領域インターバルの長さである。
【０１２７】
選択的な実施形態において、少なくとも2つの異なるプリアンブル信号が、異なる継続時間を示す。
【０１２８】
選択的な実施形態において、ダウンリンク制御情報又はプリアンブル・メッセージはさらに、免許不要の周波数帯のセル識別子、免許不要の周波数帯の公衆携帯電話ネットワーク識別子、又はダウンリンク制御情報によって占有されているシンボルの量のうちの少なくとも1つを含む。
【０１２９】
選択的な実施形態において、プリアンブル信号は、免許不要の周波数帯における基地局の利用可能な継続時間を示すのに使用され、少なくとも2つの異なるプリアンブル信号が、異なる継続時間に対応している。
【０１３０】
選択的な実施形態において、送信ユニットはさらに、第2のサブフレームの先頭にあるn個のシンボルで、第2のサブフレームがスケジューリングされたダウンリンク制御チャネルを送信するように構成される。第2のサブフレームは、継続時間の中であって第1のサブフレームの後に存在する。選択的な実施形態において、ダウンリンク制御情報はさらに順方向スケジューリング指示を含む。選択的に、順方向スケジューリング指示は、スケジューリング指示情報の中に含めてもよい。順方向スケジューリング指示は、順方向スケジューリング指示にしたがってダウンリンク制御情報を決定するためにユーザ機器によって使用され、また、ダウンリンク制御情報が位置しているサブフレームの前のサブフレームにデータをスケジューリングするために使用される。
【０１３１】
選択的な実施形態において、プリアンブル信号は、時間領域において固定された継続時間を占有する。
【０１３２】
選択的な実施形態において、ダウンリンク制御情報又はプリアンブル信号はさらに無線ネットワーク一時識別子RNTIを含む。RNTIは、RNTIにしたがってダウンリンク制御情報を受信するためにユーザ機器によって使用される。選択的に、ダウンリンク制御情報はさらに、第1の信号を送信する継続時間、第1のキャリアのセル識別子、第1のキャリアの公衆携帯電話ネットワーク識別子、又はダウンリンク制御情報によって占有されているシンボルの量のうちの少なくとも1つを含んでもよい。
【０１３３】
選択的な実装方法において、処理ユニット401はプロセッサとすることができる。プロセッサは、具体的には、ベースバンド・プロセッサ、デジタル信号プロセッサ(Digital  Signal  Processor，DSP)、フィールド・プログラム可能ゲート・アレイ(Field  Programmable  Gate  Array，FPGA)、又は中央プロセッサ(Central  Processing  Unit，CPU)であってよい。送信ユニット402は、送信機(transmitter)であってよい。送信ユニット402は、送受信機(transceiver)であってもよい。送信機又は送受信機は、無線周波数回路、又はプロセッサ及び無線周波数回路を含む組み合わせであってもよい。
【０１３４】
選択的な実装方法において、図4に示す実施形態で提供される基地局は、送信機及びプロセッサを含むことができる。プロセッサは、免許不要の周波数帯における利用可能な時間−周波数リソースの時間領域インターバルを決定するように構成される。利用可能なリソースは、時間領域において連続している時間−周波数リソースである。送信機は、その時間領域インターバル中に第1のサブフレームでプリアンブル信号を送信するように構成される。第1のサブフレームは、その時間領域インターバル中で最初のサブフレームである。送信機はさらに、送信ユニットがプリアンブル信号を送信した後にダウンリンク制御情報及びデータを送信するように構成される。データは、第1のサブフレームに存在する。ダウンリンク制御情報は、ダウンリンク制御チャネルにある。ダウンリンク制御情報は、スケジューリング指示情報を含んでいる。スケジューリング指示情報は、データの周波数領域位置を示すのに使用される。
【０１３５】
図5は、本発明の1つの実施形態によるデータ送信方法を示し、この方法の具体的なステップは以下の通りである。
【０１３６】
ステップ51:基地局が、免許不要の周波数帯における利用可能な時間−周波数リソースの時間領域インターバルを決定する。利用可能な時間−周波数リソースは、時間領域において連続している時間−周波数リソースである。
【０１３７】
ステップ52:基地局が、ダウンリンク制御情報及びデータを送信する。
【０１３８】
データは、第1のサブフレームに存在し、第1のサブフレームは、その時間領域インターバル中で最初のサブフレームである。ダウンリンク制御情報は、スケジューリング指示情報及び位置指示情報を含んでいる。スケジューリング指示情報は、データの周波数領域位置を示すのに使用される。位置指示情報は、データの時間領域位置を示すのに使用される。
【０１３９】
従来技術では、基地局は、免許不要の周波数帯における利用可能な時間−周波数リソースの時間領域インターバルを決定した後にプリアンブルのみを送信する。従来技術におけるプリアンブルは、チャネルを占有するために使用されるにすぎず、プリアンブルがチャネルを占有している場合には、ユーザ機器は、データもスケジューリング情報も受信することができない。しかしながら、本発明の本実施形態では、基地局が免許不要の周波数帯における利用可能な時間−周波数リソースの時間領域インターバルを決定した後、基地局は、ダウンリンク制御情報及びデータを送信する。データは第1のサブフレームに存在する。したがって、少なくともデータが第1のサブフレームで送信され、それにより周波数帯利用リソースを改善する。
【０１４０】
選択的な実施形態において、免許不要の周波数帯における利用可能な時間−周波数リソースの時間領域インターバルを基地局によって決定することは、基地局が、リッスンすることによって、第1のキャリアが位置しているワイヤレス・チャネルで信号が送信中であるかどうかをまず決定することができ、ワイヤレス・チャネルを使用している別のデバイスがない場合、基地局は、第1のキャリアを使用して信号を送信できると決定することを含む。選択的に、基地局が送信対象信号を準備するための処理期間が必要とされてもよい。処理期間中にチャネルが別のデバイスによって占有されるのを防ぐために、基地局は、その期間中に特定の内容を特定の電力でチャネル上に送信してもよい。その場合、免許不要の周波数帯における利用可能な時間−周波数リソースの時間領域インターバルは、特定の内容が送信された後に開始すると決定される。
【０１４１】
選択的な実施形態において、ダウンリンク制御情報は、ダウンリンク制御チャネルにあり、第1のサブフレームは、時間領域にN個のシンボルを含む。ダウンリンク制御チャネルは、第2のサブフレームの先頭にあるn個のシンボル中に位置し、位置指示情報はさらに、第1のサブフレームが第2のサブフレームの前のサブフレームであることを示すのに使用される。或いは、ダウンリンク制御チャネルは、第1のサブフレームの最後のn個のシンボル中に位置し、ここで0＜n＜Nであり、n及びNはともに自然数である。
【０１４２】
選択的な実施形態において、位置指示情報は、指示情報にしたがって時間領域における第1のサブフレームの中のデータの開始シンボルmを決定するようにUEに命令するために使用される。ダウンリンク制御チャネルが、第2のサブフレームの先頭にあるn個のシンボル中に位置するとき、第1のサブフレームの中のデータは、第1のサブフレームの最後のシンボルとシンボルmとの間にある。或いは、ダウンリンク制御チャネルが、第1のサブフレームの最後のn個のシンボル中に位置するとき、第1のサブフレームの中のデータは、シンボルmの後であってダウンリンク制御チャネルの前に存在する。選択的に、mは自然数である。
【０１４３】
選択的な実施形態において、ダウンリンク制御情報は継続時間指示情報をさらに含み、継続時間指示情報は、免許不要の周波数帯における利用可能な継続時間を示すのに使用される。
【０１４４】
選択的な実施形態において、ダウンリンク制御情報は、第1のダウンリンク制御情報及び第2のダウンリンク制御情報を含んでいる。スケジューリング指示情報は、第1のダウンリンク制御情報の中にある。継続時間指示情報は、第2のダウンリンク制御情報の中にある。第1のダウンリンク制御情報は、ユーザ固有の検索インターバル内に存在し、第2のダウンリンク制御情報は、共用の検索インターバル内に存在する。
【０１４５】
選択的な実施形態において、基地局は、第2のサブフレームの先頭にあるn個のシンボルで、第1のサブフレームがスケジューリングされるダウンリンク制御チャネルを送信する。第2のサブフレームは、継続時間の中であって第1のサブフレームの後に存在する。選択的な実施形態において、ダウンリンク制御情報はさらに順方向スケジューリング指示を含む。選択的に、順方向スケジューリング指示は、スケジューリング指示情報の中に含めてもよい。順方向スケジューリング指示は、順方向スケジューリング指示にしたがってダウンリンク制御情報を決定するためにユーザ機器によって使用され、また、ダウンリンク制御情報が位置しているサブフレームの前のサブフレームにデータをスケジューリングするために使用される。
【０１４６】
選択的な実施形態において、第1のサブフレームは、時間領域にN個のシンボルを含み、プリアンブルはM個のシンボルを占有する。M＝Nである場合、データは第1のサブフレームで送信されない。一方、M＞Nである場合、プリアンブル情報の一部が第1のサブフレームで送信され、プリアンブル情報の残りの部分は、第1のサブフレームの後の第2のサブフレームの先頭にあるM−N個のシンボルで送信される。データは、第2のサブフレームの後続シンボルで送信される。データに対応する制御情報は、第2のサブフレームの後の第3のサブフレームで送信される。或いは、制御情報及びデータ情報が、第2のサブフレームの後続シンボルで送信される。制御情報は、プリアンブル情報の後にあっても、又は第2のサブフレームの最後のP個のシンボル中にあってもよく、制御情報は、データのスケジューリング情報を含めるために使用される。
【０１４７】
選択的な実施形態において、ダウンリンク制御情報又はプリアンブル信号はさらに無線ネットワーク一時識別子RNTIを含む。RNTIは、RNTIにしたがってダウンリンク制御情報を受信するためにユーザ機器によって使用される。選択的に、ダウンリンク制御情報はさらに、第1の信号を送信する継続時間、第1のキャリアのセル識別子、第1のキャリアの公衆携帯電話ネットワーク識別子、又はダウンリンク制御情報によって占有されているシンボルの量のうちの少なくとも1つを含んでもよい。
【０１４８】
選択的な実施形態において、ダウンリンク制御情報は、免許不要の周波数帯に対応するセカンダリーセルを使用して送信することができ、又は免許付与された周波数帯に対応するキャリアを使用して送信されてもよい。免許付与された周波数帯に対応するキャリア及び免許不要の周波数帯に対応するセカンダリ・キャリアは、同じユーザ機器に対して構成された異なるキャリアである。
【０１４９】
選択的な実施形態において、ダウンリンク制御情報は、時間領域インターバル中の第1のサブフレームの先頭で送信され、データ情報は、制御情報が送信された後に送信される。制御情報の送信が第1のサブフレームの境界で終了する場合、データ情報は第1のサブフレームで送信されない。
【０１５０】
図6は、本発明の1つの実施形態による基地局を示す。基地局は、図5に示す実施形態において提供されるデータ送信方法を実行するように構成することができる。基地局は、処理ユニット601及び送信ユニット602を含む。
【０１５１】
処理ユニット601は、免許不要の周波数帯における利用可能な時間−周波数リソースの時間領域インターバルを決定するように構成される。利用可能な時間−周波数リソースは、時間領域において連続している時間−周波数リソースである。
【０１５２】
送信ユニット602は、ダウンリンク制御情報及びデータを送信するように構成される。データは、第1のサブフレームに存在する。第1のサブフレームは、その時間領域インターバル中で最初のサブフレームである。ダウンリンク制御情報は、スケジューリング指示情報及び位置指示情報を含んでいる。スケジューリング指示情報は、データの周波数領域位置を示すのに使用される。位置指示情報は、データの時間領域位置を示すのに使用される。
【０１５３】
従来技術では、基地局は、免許不要の周波数帯における利用可能な時間−周波数リソースの時間領域インターバルを決定した後にプリアンブルのみを送信する。従来技術におけるプリアンブルは、チャネルを占有するために使用されるにすぎず、プリアンブルがチャネルを占有している場合には、ユーザ機器は、データもスケジューリング情報も受信することができない。しかしながら、本発明の本実施形態では、基地局が免許不要の周波数帯における利用可能な時間−周波数リソースの時間領域インターバルを決定した後、基地局は、ダウンリンク制御情報及びデータを送信する。データは第1のサブフレームに存在する。したがって、少なくともデータが第1のサブフレームで送信され、それにより周波数帯利用リソースを改善する。
【０１５４】
選択的な実施形態において、ダウンリンク制御情報は、ダウンリンク制御チャネルに存在し、第1のサブフレームは、時間領域にN個のシンボルを含む。ダウンリンク制御チャネルは、第2のサブフレームの先頭にあるn個のシンボル中に位置し、位置指示情報はさらに、第1のサブフレームが、第2のサブフレームの前のサブフレームであることを示すのに使用される。或いは、ダウンリンク制御チャネルは、第1のサブフレームの最後のn個のシンボル中に位置し、ここで0＜n＜Nであり、n及びNはともに自然数である。
【０１５５】
選択的な実施形態において、位置指示情報は、時間領域における第1のサブフレームの中のデータの開始シンボルmを示すのに使用される。ダウンリンク制御チャネルが、第2のサブフレームの先頭にあるn個のシンボル中に位置するとき、第1のサブフレームの中のデータは、シンボルmと、第1のサブフレームの最後のシンボルとの間にある。或いは、ダウンリンク制御チャネルが第1のサブフレームの最後のn個のシンボル中に位置するとき、第1のサブフレームの中のデータは、シンボルmの後であってダウンリンク制御チャネルの前に存在する。
【０１５６】
選択的な実施形態において、ダウンリンク制御情報は継続時間指示情報をさらに含み、継続時間指示情報は、免許不要の周波数帯における利用可能な継続時間を示すのに使用される。
【０１５７】
選択的な実施形態において、ダウンリンク制御情報又はプリアンブル・メッセージはさらに、免許不要の周波数帯のセル識別子、免許不要の周波数帯の公衆携帯電話ネットワーク識別子、又はダウンリンク制御情報によって占有されているシンボルの量のうちの少なくとも1つを含む。
【０１５８】
選択的な実施形態において、基地局は、第3のサブフレームの先頭にあるn個のシンボルで、第3のサブフレームがスケジューリングされたダウンリンク制御チャネルを送信する。第3のサブフレームは時間領域インターバル内にある。ダウンリンク制御情報はさらにデータ・シンボル指示情報を含み、そのため、ユーザ機器は、シンボル指示情報にしたがって、第3のサブフレームの中のデータの終了位置を決定する。選択的な実施形態において、第3のサブフレームは、時間領域インターバル中で最後のサブフレームである。
【０１５９】
選択的な実施形態において、ダウンリンク制御情報は、第1のダウンリンク制御情報及び第2のダウンリンク制御情報を含む。スケジューリング指示情報は、第1のダウンリンク制御情報の中にある。継続時間指示情報は、第2のダウンリンク制御情報の中にある。第1のダウンリンク制御情報は、ユーザ固有の検索インターバル内に存在し、第2のダウンリンク制御情報は、共用の検索インターバル内に存在する。
【０１６０】
選択的な実施形態において、送信ユニット602はさらに、第2のサブフレームの先頭にあるn個のシンボルで、第1のサブフレームがスケジューリングされるダウンリンク制御チャネルを送信するように構成される。第2のサブフレームは、継続時間の中であって第1のサブフレームの後に存在する。選択的な実施形態において、ダウンリンク制御情報はさらに順方向スケジューリング指示を含む。選択的に、順方向スケジューリング指示は、スケジューリング指示情報の中に含めてもよい。順方向スケジューリング指示は、順方向スケジューリング指示にしたがってダウンリンク制御情報を決定するためにユーザ機器によって使用され、また、ダウンリンク制御情報が位置しているサブフレームの前のサブフレームにデータをスケジューリングするために使用される。
【０１６１】
選択的な実施形態において、第1のサブフレームは、時間領域にN個のシンボルを含み、プリアンブルはM個のシンボルを占有する。M＝Nである場合、データは第1のサブフレームで送信されない。一方、M＞Nである場合、プリアンブル情報の一部が第1のサブフレームで送信され、プリアンブル情報の残りの部分は、第1のサブフレームの後の第2のサブフレームの先頭にあるM−N個のシンボルで送信される。データは、第2のサブフレームの後続シンボルで送信される。データに対応する制御情報は、第2のサブフレームの後の第3のサブフレームで送信される。或いは、制御情報及びデータ情報が、第2のサブフレームの後続シンボルで送信される。制御情報は、プリアンブル情報の後にあっても、又は第2のサブフレームの最後のP個のシンボル中にあってもよく、制御情報は、データのスケジューリング情報を含めるために使用される。
【０１６２】
選択的な実施形態において、ダウンリンク制御情報は、免許不要の周波数帯に対応するセカンダリーセルを使用して送信することができ、又は免許付与された周波数帯に対応するキャリアを使用して送信されてもよい。免許付与された周波数帯に対応するキャリア及び免許不要の周波数帯に対応するセカンダリ・キャリアは、同じユーザ機器に対して構成された異なるキャリアである。
【０１６３】
選択的な実施形態において、ダウンリンク制御情報は、時間領域インターバル中の第1のサブフレームの先頭で送信され、データ情報は、制御情報が送信された後に送信される。制御情報の送信が第1のサブフレームの境界で終了する場合、データ情報は第1のサブフレームで送信されない。
【０１６４】
選択的な実施形態において、ダウンリンク制御情報又はプリアンブル信号は、無線ネットワーク一時識別子RNTIをさらに含む。RNTIは、RNTIにしたがってダウンリンク制御情報を受信するためにユーザ機器によって使用される。選択的に、ダウンリンク制御情報はさらに、第1の信号を送信する継続時間、第1のキャリアのセル識別子、第1のキャリアの公衆携帯電話ネットワーク識別子、又はダウンリンク制御情報によって占有されているシンボルの量のうちの少なくとも1つを含んでもよい。
【０１６５】
選択的な実装方法において、処理ユニット601はプロセッサとすることができる。プロセッサは、具体的には、ベースバンド・プロセッサ、デジタル信号プロセッサ(Digital  Signal  Processor，DSP)、フィールド・プログラム可能ゲート・アレイ(Field  Programmable  Gate  Array，FPGA)、又は中央プロセッサ(Central  Processing  Unit，CPU)であってよい。送信ユニット602は、送信機(transmitter)であってよい。送信ユニット602は、送受信機(transceiver)であってもよい。送信機又は送受信機は、無線周波数回路、又はプロセッサ及び無線周波数回路を含む組み合わせであってもよい。
【０１６６】
選択的な実装方法において、図6に示す実施形態で提供される基地局は、送信機及びプロセッサを含むことができる。プロセッサは、免許不要の周波数帯における利用可能な時間−周波数リソースの時間領域インターバルを決定するように構成される。利用可能な時間−周波数リソースは、時間領域において連続している時間−周波数リソースである。送信機は、ダウンリンク制御情報及びデータを送信するように構成される。データは、第1のサブフレームに存在し、第1のサブフレームは、時間領域インターバル中で最初のサブフレームである。ダウンリンク制御情報は、ダウンリンク制御チャネルにある。ダウンリンク制御情報は、スケジューリング指示情報及び位置指示情報を含む。スケジューリング指示情報は、データの周波数領域位置を示すのに使用される。位置指示情報は、データの時間領域位置を示すのに使用される。
【０１６７】
図7は、本発明の1つの実施形態によるデータ送信方法を示し、この方法の具体的なステップは以下の通りである。
【０１６８】
ステップ71:ユーザ機器が、ダウンリンク制御チャネルに検出を実行してダウンリンク制御情報を取得する。
【０１６９】
ダウンリンク制御情報は、スケジューリング指示情報を含んでいる。スケジューリング指示情報は、第1のサブフレームの中のスケジューリングされたデータの周波数領域位置を示すのに使用される。選択的に、ダウンリンク制御チャネルは、物理ダウンリンク制御チャネル(Physical  Downlink  Control  Channel，PDCCH)である。
【０１７０】
ステップ72:ユーザ機器が、ダウンリンク制御チャネル中の位置指示情報にしたがって又はダウンリンク制御チャネルの前に免許不要の周波数帯で受信されたプリアンブル信号にしたがって、第1のサブフレームの中のデータの時間領域位置を決定する。位置指示情報は、第1のサブフレームの中のデータの時間領域位置を示すのに使用される。
【０１７１】
ステップ73:ユーザ機器が、データの周波数領域位置及び時間領域位置にしたがって、免許不要の周波数帯の中でデータを受信する。
【０１７２】
従来技術では、ユーザ機器は、ダウンリンク制御情報にしたがってデータの周波数領域位置を決定することができるにすぎず、データの時間領域位置を決定することはできない。これに対して、本発明の本実施形態では、ユーザ機器は、ダウンリンク制御チャネル中の位置指示情報にしたがって又はダウンリンク制御チャネルの前に免許不要の周波数帯で受信されたプリアンブル信号にしたがって、第1のサブフレームの中のデータの時間領域位置を決定する。したがって、ユーザ機器は、位置指示情報又はプリアンブル信号にしたがってデータの時間領域位置を決定することができ、そのため、免許不要のキャリアの利用がより柔軟になり、周波数帯利用リソースが改善される。
【０１７３】
選択的な実施形態において、ユーザ機器によってダウンリンク制御チャネルに検出を実行してダウンリンク制御情報を取得する前に、方法は、ユーザ機器によって免許不要の周波数帯の中でプリアンブル信号を受信することをさらに含む。プリアンブル信号は、少なくとも1つのあらかじめ設定されたシーケンス中のシーケンスである。
【０１７４】
選択的に、プリアンブル信号は、具体的には、事前に定義されたシーケンスとすることができる。基地局は、事前に定義されたシーケンスを使用してプリアンブル信号を送信し、ユーザ機器は、事前に定義されたシーケンスにしたがってプリアンブル信号に検出を行う。事前に定義されたプリアンブル・シーケンスは、ユーザ機器内にあらかじめ設定されても、又はメッセージを使用して基地局から受信されてもよい。選択的に、プリアンブル・シーケンスと免許不要の周波数帯との間に特定のマッピング関係が存在してもよく、それにより、ユーザ機器はシーケンスにしたがって、プリアンブル信号を含んでいる信号を免許不要のセカンダリ・キャリアに対応するサービング・セルの信号と判断する。
【０１７５】
選択的な実施形態において、ユーザ機器によってダウンリンク制御チャネルに検出を実行してダウンリンク制御情報を取得する前に、方法は、プリアンブル信号を受信した後に、プリアンブル信号にしたがって免許不要の周波数帯の中のダウンリンク制御チャネルの位置をユーザ機器によって決定することをさらに含む。
【０１７６】
選択的な実施形態において、サブフレームは、時間領域にN個のシンボルを含む。ダウンリンク制御チャネルは、プリアンブル信号に続くn個のシンボル中に位置する。無論、ダウンリンク制御チャネルは、プリアンブル信号の後のn個のシンボル中に位置することができ、m個のシンボル分の距離が、ダウンリンク制御チャネルとプリアンブル信号との間に存在し、ここでmは自然数である。ダウンリンク制御チャネルは、プリアンブル信号が位置しているサブフレームの最後のn個のシンボル中に位置する。或いは、ダウンリンク制御チャネルは強化型物理ダウンリンク制御チャネルであり、強化型物理ダウンリンク制御チャネルは、プリアンブル信号が位置しているサブフレームに位置し、強化型物理ダウンリンク制御チャネルはプリアンブル信号の後のシンボル中に位置している。第1のサブフレームは、プリアンブル信号が位置しているサブフレームであり、0＜n＜Nであり、n及びNはともに自然数である。
【０１７７】
選択的な実施形態において、UEは、ダウンリンク制御情報にブラインド検出を行ってダウンリンク制御情報のシンボル位置を決定し、次いでダウンリンク制御情報の位置にしたがってデータ部分のシンボル位置を決定する。具体的には、上述したダウンリンク制御情報の送信方式の場合、ユーザ機器は、基地局がダウンリンク制御情報の送信を開始するシンボルを決定しないので、ユーザ機器は、シンボルに1つずつダウンリンク制御情報の検出を行う必要がある。ダウンリンク制御情報の検出は、ダウンリンク制御情報の開始シンボルとして使用される各シンボルに行われる。ダウンリンク制御情報が検出されると、ユーザ機器は、ダウンリンク制御情報にしたがってデータ部分のシンボル位置を決定し、次いで、データ部分の時間領域シンボル位置とダウンリンク制御情報中で搬送されたスケジューリング指示情報に含まれる周波数領域位置とにしたがって、ダウンリンク制御情報中に指示されるスケジューリングされたデータを受信する。
【０１７８】
選択的な実施形態において、ユーザ機器が、ダウンリンク制御チャネルの前に受信されたプリアンブル信号にしたがって第1のサブフレームの中のデータの時間領域位置を決定することは、プリアンブル信号が位置しているシンボルをユーザ機器によって決定すること、及び、プリアンブル信号が位置しているシンボル及びダウンリンク制御チャネルが位置しているシンボルにしたがって、第1のサブフレームの中のデータが位置しているシンボルをユーザ機器によって決定することを含む。具体的には、プリアンブル信号によって占有されたシンボル位置は、開始シンボル位置とプリアンブル信号の長さとにしたがって決定され、プリアンブル信号の長さは、事前に定義された量のシンボルである。ダウンリンク制御情報の位置又はデータの位置は、プリアンブル信号の送信が終了した後のN個のシンボルにおいて開始し、Nは0以上の正の整数である。N＝0であることは、ダウンリンク制御情報の位置又はデータの位置が、プリアンブル信号が送信された直後に開始することを意味する。UEは、プリアンブル信号の送信が終了した後のN個のシンボルにおいてダウンリンク制御情報又はデータの受信を開始する。データは、プリアンブル信号が位置しているサブフレームのサブフレーム終了境界で終了する。
【０１７９】
選択的な実施形態において、位置指示情報は、時間領域における第1のサブフレームの中のデータの開始シンボルmを示すのに使用される。ダウンリンク制御チャネル中の位置指示情報にしたがって第1のサブフレームの中のデータの時間領域位置をユーザ機器によって決定することは、ダウンリンク制御チャネルが、プリアンブル信号に続くn個のシンボル中に位置している場合に、ユーザ機器は、第1のサブフレームの中のデータが、第1のサブフレームの最後のシンボルとシンボルmとの間にあるということを決定すること、又は、ダウンリンク制御チャネルが、プリアンブル信号が位置しているサブフレームの最後のn個のシンボル中に位置している場合に、ユーザ機器は、第1のサブフレームの中のデータが、ダウンリンク制御チャネルの前のシンボルとシンボルmとの間に存在すると決定することを含む。
【０１８０】
選択的な実施形態において、ダウンリンク制御チャネルは、検出されたサブフレームの最後のn個のシンボル中に位置し、第1のサブフレームは、ダウンリンク制御チャネルが位置しているサブフレームである。具体的には、ユーザ機器は、サブフレーム構造の最後にあるようにあらかじめ決められているダウンリンク制御情報の位置にしたがって、ダウンリンク制御情報の検出を行う。ダウンリンク制御情報が検出された場合、そのダウンリンク制御情報にしたがって、スケジューリングされたデータの開始位置が、第1のキャリアを使用して信号の送信を開始する位置として決定される。
【０１８１】
選択的な実施形態において、ユーザ機器によってダウンリンク制御チャネルに検出を実行してダウンリンク制御情報を取得することは、ユーザ機器によって第1のダウンリンク制御チャネル及び第2のダウンリンク制御チャネルに検出を実行することを含む。第1のダウンリンク制御チャネルは、検出されたサブフレームの先頭のn個のシンボル中に位置し、第2のダウンリンク制御チャネルは、検出されたサブフレームの最後のn個のシンボル中に位置している。ダウンリンク制御情報が第2のダウンリンク制御チャネルで得られる場合、ダウンリンク制御情報は、スケジューリング指示情報を含んでおり、第1のサブフレームは、ダウンリンク制御チャネルが位置しているサブフレームである。選択的な実施形態において、位置指示情報は、時間領域における第1のサブフレームの中のデータの開始シンボルmを示すのに使用される。ダウンリンク制御チャネル中の位置指示情報にしたがって第1のサブフレームの中のデータの時間領域位置をユーザ機器によって決定することは、第1のサブフレームの中のデータがダウンリンク制御チャネルの前のシンボルとシンボルmとの間に存在するということをユーザ機器によって決定することを含む。
【０１８２】
選択的な実施形態において、ユーザ機器によってダウンリンク制御チャネルに検出を実行してダウンリンク制御情報を取得することは、ユーザ機器によってダウンリンク制御チャネルに検出を実行してダウンリンク制御情報を取得することを含み、このとき、ダウンリンク制御チャネルは、検出されたサブフレームの先頭のn個のシンボル中に位置している。ダウンリンク制御情報が位置指示情報を含むとき、ユーザ機器は、第1のサブフレームが、ダウンリンク制御チャネルが位置しているサブフレームの前のサブフレームであるということを決定する。
【０１８３】
選択的な実施形態において、ユーザ機器は、第1のキャリア又は別のキャリアを使用してダウンリンク制御チャネルに検出を実行してダウンリンク制御情報を取得する。
【０１８４】
選択的な実施形態において、ダウンリンク制御情報はさらに順方向スケジューリング指示を含む。選択的に、順方向スケジューリング指示は、スケジューリング指示情報の中に含めてもよい。順方向スケジューリング指示は、順方向スケジューリング指示にしたがってダウンリンク制御情報を決定するためにユーザ機器によって使用され、また、ダウンリンク制御情報が位置しているサブフレームの前のサブフレームにデータをスケジューリングするために使用される。
【０１８５】
選択的な実施形態において、位置指示情報は、時間領域における第1のサブフレームの中のデータの開始シンボルmを示すのに使用される。ダウンリンク制御チャネル中の位置指示情報にしたがって第1のサブフレームの中のデータの時間領域位置をユーザ機器によって決定することは、第1のサブフレームの中のデータがシンボルmと第1のサブフレームの最後のシンボルとの間に存在するということをユーザ機器によって決定することを含む。
【０１８６】
選択的な実施形態において、ダウンリンク制御情報は継続時間指示情報をさらに含み、継続時間指示情報は、免許不要の周波数帯における基地局の利用可能な継続時間を示すのに使用される。選択的な実施形態において、プリアンブル信号が継続時間指示情報も含むことができ、継続時間指示情報は、免許不要の周波数帯における基地局の利用可能な継続時間を示すのに使用される。選択的な実施形態において、ダウンリンク制御情報又はプリアンブル・メッセージはさらに、免許不要の周波数帯のセル識別子、免許不要の周波数帯の公衆携帯電話ネットワーク識別子、又はダウンリンク制御情報によって占有されているシンボルの量、の少なくとも1つを含む。ユーザ機器は、免許不要の周波数帯における基地局の利用可能な継続時間と、第1のサブフレームのシンボル長とにしたがって、免許不要の周波数帯における基地局の利用可能な継続時間内で最後のサブフレームと、最後のサブフレームのシンボル長とを決定する。具体的には、例えば、第1のサブフレームのシンボル長は5シンボルであり、第1の信号を送信する継続時間は6[ms]である。各フレームの最後のサブフレームのシンボル長は14シンボルであると想定される。最後のサブフレームは第7のサブフレームであり、最後のサブフレームのシンボル長は9シンボルである。ユーザ機器は、免許不要の周波数帯のセル識別子及び／又は免許不要の周波数帯の公衆携帯電話ネットワーク識別子にしたがって、プリアンブル信号が、現在送信されているセルがユーザ機器に対して構成された免許不要のセカンダリ・キャリア・セルであるかどうかを決定することができる。
【０１８７】
選択的な実施形態において、ダウンリンク制御情報は、第1のダウンリンク制御情報及び第2のダウンリンク制御情報を含む。スケジューリング指示情報は第1のダウンリンク制御情報の中にある。継続時間指示情報は第2のダウンリンク制御情報の中にある。第1のダウンリンク制御情報は、ユーザ固有の検索インターバル内に存在し、第2のダウンリンク制御情報は、共用の検索インターバル内に存在する。
【０１８８】
選択的な実施形態において、プリアンブル信号は、免許不要の周波数帯における基地局の利用可能な継続時間を示すのに使用され、少なくとも2つの異なるプリアンブル信号が異なる継続時間を示す。
【０１８９】
選択的な実施形態において、ユーザ機器は、第2のサブフレームの先頭にあるn個のシンボルによって、第2のサブフレームがスケジューリングされているダウンリンク制御チャネルを検出する。第2のサブフレームは、継続時間の中であって第1のサブフレームの後に存在する。
【０１９０】
選択的な実施形態において、ダウンリンク制御情報はさらに無線ネットワーク一時識別子RNTIを含む。RNTIは、RNTIにしたがってダウンリンク制御情報を受信するために使用される。
【０１９１】
選択的な実施形態において、プリアンブル信号は、時間領域内で固定された継続時間を占有する。
【０１９２】
図8は、本発明の1つの実施形態によるユーザ機器を示す。ユーザ機器は、図7に示す実施形態で提供されるデータ送信方法を実行するように構成することができる。ユーザ機器は、処理ユニット801及び受信ユニット802を含む。
【０１９３】
処理ユニット801は、ダウンリンク制御チャネルに検出を実行してダウンリンク制御情報を取得するように構成される。ダウンリンク制御情報は、スケジューリング指示情報を含んでいる。スケジューリング指示情報は、第1のサブフレームの中のスケジューリングされたデータの周波数領域位置を示すのに使用される。選択的に、ダウンリンク制御チャネルは、物理ダウンリンク制御チャネル(Physical  Downlink  Control  Channel，PDCCH)である。
【０１９４】
処理ユニット801はさらに、ダウンリンク制御チャネル中の位置指示情報にしたがって又はダウンリンク制御チャネルの前に免許不要の周波数帯で受信されたプリアンブル信号にしたがって、第1のサブフレームの中のデータの時間領域位置を決定するように構成される。位置指示情報は、第1のサブフレームの中のデータの時間領域位置を示すのに使用される。
【０１９５】
受信ユニット802は、データの周波数領域位置及び時間領域位置にしたがって、免許不要の周波数帯の中でデータを受信するように構成される。
【０１９６】
従来技術では、ユーザ機器は、ダウンリンク制御情報にしたがってデータの周波数領域位置を決定することができるにすぎず、データの時間領域位置を決定することはできない。これに対して、本発明の本実施形態では、ユーザ機器は、ダウンリンク制御チャネル中の位置指示情報にしたがって又はダウンリンク制御チャネルの前に免許不要の周波数帯で受信されたプリアンブル信号にしたがって、第1のサブフレームの中のデータの時間領域位置を決定する。したがって、ユーザ機器は、位置指示情報又はプリアンブル信号にしたがってデータの時間領域位置を決定することができ、そのため、免許不要のキャリアの利用がより柔軟になり、周波数帯利用リソースが改善される。
【０１９７】
選択的な実施形態において、処理ユニット801がダウンリンク制御チャネルに検出を実行してダウンリンク制御情報を取得する前に、受信ユニット802はさらに、免許不要の周波数帯の中でプリアンブル信号を受信することを含む。プリアンブル信号は、少なくとも1つのあらかじめ設定されたシーケンスの中のシーケンスである。
【０１９８】
選択的に、プリアンブル信号は、具体的には、事前に定義されたシーケンスであってもよい。基地局は、事前に定義されたシーケンスを使用してプリアンブル信号を送信し、ユーザ機器は、事前に定義されたシーケンスにしたがってプリアンブル信号に検出を行う。事前に定義されたシーケンスは、ユーザ機器内にあらかじめ設定されても、又はメッセージを使用して基地局から受信されてもよい。選択的に、プリアンブル・シーケンスと免許不要のキャリアとの間に特定のマッピング関係が存在してもよく、それにより、ユーザ機器は、シーケンスにしたがって、プリアンブル信号を含んでいる信号を免許不要のセカンダリ・キャリアに対応するサービング・セルの信号と判断する。
【０１９９】
選択的な実施形態において、処理ユニット801がダウンリンク制御チャネルに検出を実行してダウンリンク制御情報を取得する前に、処理ユニット801はさらに、プリアンブル信号を受信した後に、プリアンブル信号にしたがって免許不要の周波数帯の中でのダウンリンク制御チャネルの位置を処理ユニットによって決定することを含む。
【０２００】
選択的な実施形態において、サブフレームは、時間領域にN個のシンボルを含む。ダウンリンク制御チャネルは、プリアンブル信号に続くn個のシンボル中に位置する。無論、ダウンリンク制御チャネルは、プリアンブル信号の後のn個のシンボル中に位置することができ、m個のシンボル分の距離が、ダウンリンク制御チャネルとプリアンブル信号との間に存在し、ここでmは自然数である。ダウンリンク制御チャネルは、プリアンブル信号が位置しているサブフレームの最後のn個のシンボル中に位置する。或いは、ダウンリンク制御チャネルは強化型物理ダウンリンク制御チャネルであり、強化型物理ダウンリンク制御チャネルは、プリアンブル信号が位置しているサブフレームに位置し、強化型物理ダウンリンク制御チャネルは、プリアンブル信号の後のシンボル中に位置している。第1のサブフレームは、プリアンブル信号が位置しているサブフレームであり、0＜n＜Nであり、n及びNはともに自然数である。
【０２０１】
選択的な実施形態において、処理ユニット801がダウンリンク制御チャネルの前に受信されたプリアンブル信号にしたがって第1のサブフレームの中のデータの時間領域位置を決定することは、処理ユニット801が、プリアンブル信号が位置しているシンボルを決定すること、及び、処理ユニット801が、プリアンブル信号が位置しているシンボル及びダウンリンク制御チャネルが位置しているシンボルにしたがって、第1のサブフレームの中のデータが位置しているシンボルを決定することを含む。
【０２０２】
選択的な実施形態において、UEは、ダウンリンク制御情報にブラインド検出を行ってダウンリンク制御情報のシンボル位置を決定し、次いでダウンリンク制御情報の位置にしたがってデータ部分のシンボル位置を決定する。具体的には、上述したダウンリンク制御情報の送信方式では、UEは、基地局がダウンリンク制御情報の送信を開始するシンボルを決定しないので、ユーザ機器は、シンボルに1つずつダウンリンク制御情報の検出を行う必要がある。ダウンリンク制御情報の検出は、ダウンリンク制御情報の開始シンボルとして使用される各シンボルに行われる。ダウンリンク制御情報が検出されると、ユーザ機器は、ダウンリンク制御情報にしたがってデータ部分のシンボル位置を決定し、次いで、データ部分の時間領域シンボル位置とダウンリンク制御情報中で搬送されたスケジューリング指示情報に含まれる周波数領域位置とにしたがって、ダウンリンク制御情報中に指示されるスケジューリングされたデータを受信する。
【０２０３】
選択的な実施形態において、ユーザ機器がダウンリンク制御チャネルの前に受信されたプリアンブル信号にしたがって第1のサブフレームの中のデータの時間領域位置を決定することは、プリアンブル信号が位置しているシンボルをユーザ機器によって決定し、プリアンブル信号が位置しているシンボル及びダウンリンク制御チャネルが位置しているシンボルにしたがって、第1のサブフレームの中のデータが位置しているシンボルをユーザ機器によって決定することを含む。具体的には、プリアンブル信号によって占有されたシンボル位置は、開始シンボル位置とプリアンブル信号の長さとにしたがって決定され、プリアンブル信号の長さは、事前に定義された量のシンボルである。ダウンリンク制御情報の位置又はデータの位置は、プリアンブル信号の送信が終了した後のN個のシンボルにおいて開始し、Nは0以上の正の整数である。N＝0であることは、ダウンリンク制御情報の位置又はデータの位置が、プリアンブル信号が送信された直後に開始することを意味する。UEは、プリアンブル信号の送信が終了した後のN個のシンボルにおいてダウンリンク制御情報又はデータの受信を開始する。データは、プリアンブル信号が位置しているサブフレームのサブフレーム終了境界で終了する。
【０２０４】
選択的な実施形態において、プリアンブル信号はさらに、免許不要のキャリアを使用して送信された信号が、ユーザ機器が位置しているセルに送信されたことを決定するために、ユーザ機器によって使用することができる。
【０２０５】
選択的な実施形態において、位置指示情報は、時間領域における第1のサブフレームの中のデータの開始シンボルmを示すのに使用される。処理ユニット801が、ダウンリンク制御チャネル中の位置指示情報にしたがって第1のサブフレームの中のデータの時間領域位置を決定することは、ダウンリンク制御チャネルが、プリアンブル信号に続くn個のシンボル中に位置している場合に、処理ユニット801が、第1のサブフレームの中のデータが、第1のサブフレームの最後のシンボルとシンボルmとの間にあるということを決定すること、又は、ダウンリンク制御チャネルが、プリアンブル信号が位置しているサブフレームの最後のn個のシンボル中に位置している場合に、処理ユニット801が、第1のサブフレームの中のデータが、ダウンリンク制御チャネルの前のシンボルとシンボルmとの間に存在すると決定することを含む。
【０２０６】
選択的な実施形態において、ダウンリンク制御チャネルは、検出されたサブフレームの最後のn個のシンボル中に位置し、第1のサブフレームは、ダウンリンク制御チャネルが位置しているサブフレームである。具体的には、ユーザ機器は、サブフレーム構造の最後にあるようにあらかじめ決められているダウンリンク制御情報の位置にしたがって、ダウンリンク制御情報の検出を行う。ダウンリンク制御情報が検出された場合、そのダウンリンク制御情報にしたがって、スケジューリングされたデータの開始位置が、第1のキャリアを使用して信号の送信を開始する位置として決定される。
【０２０７】
選択的な実施形態において、処理ユニット801がダウンリンク制御チャネルに検出を実行してダウンリンク制御情報を取得することは、処理ユニット801が第1のダウンリンク制御チャネル及び第2のダウンリンク制御チャネルに検出を行うことを含む。第1のダウンリンク制御チャネルは、検出されたサブフレームの先頭のn個のシンボル中に位置し、第2のダウンリンク制御チャネルは、検出されたサブフレームの最後のn個のシンボル中に位置している。ダウンリンク制御情報が第2のダウンリンク制御チャネルで得られる場合、ダウンリンク制御情報は、スケジューリング指示情報を含んでおり、第1のサブフレームは、ダウンリンク制御チャネルが位置しているサブフレームである。
【０２０８】
選択的な実施形態において、位置指示情報は、時間領域における第1のサブフレームの中のデータの開始シンボルmを示すのに使用される。処理ユニット801が、ダウンリンク制御チャネル中の位置指示情報にしたがって、第1のサブフレームの中のデータの時間領域位置を決定することは、処理ユニット801が、第1のサブフレームの中のデータが、ダウンリンク制御チャネルの前のシンボルとシンボルmとの間に存在すると決定することを含む。
【０２０９】
選択的な実施形態において、処理ユニット801が、ダウンリンク制御チャネルに検出を実行してダウンリンク制御情報を取得することは、処理ユニット801が、ダウンリンク制御チャネルに検出を実行してダウンリンク制御情報を取得することであって、ダウンリンク制御チャネルが、検出されたサブフレームの先頭のn個のシンボル中に位置すること、及び、ダウンリンク制御情報が位置指示情報を含んでいるとき、処理ユニット801が、第1のサブフレームが、ダウンリンク制御チャネルが位置しているサブフレームの前のサブフレームであるということを決定することを含む。
【０２１０】
選択的な実施形態において、位置指示情報は、時間領域における第1のサブフレームの中のデータの開始シンボルmを示すのに使用される。処理ユニット801がダウンリンク制御チャネル中の位置指示情報にしたがって、第1のサブフレームの中のデータの時間領域位置を決定することは、処理ユニット801が、第1のサブフレームの中のデータが、第1のサブフレームの最後のシンボルとシンボルmとの間にあるということを決定することを含む。
【０２１１】
選択的な実施形態において、ダウンリンク制御情報は継続時間指示情報をさらに含み、継続時間指示情報は、免許不要の周波数帯における基地局の利用可能な継続時間を示すのに使用される。選択的な実施形態において、ダウンリンク制御情報又はプリアンブル・メッセージはさらに、免許不要の周波数帯のセル識別子、免許不要の周波数帯の公衆携帯電話ネットワーク識別子、又はダウンリンク制御情報によって占有されているシンボルの量、の少なくとも1つを含む。ユーザ機器は、免許不要の周波数帯における基地局の利用可能な継続時間と、第1のサブフレームのシンボル長とにしたがって、免許不要の周波数帯における基地局の利用可能な継続時間内で最後のサブフレームと、最後のサブフレームのシンボル長とを決定する。具体的には、例えば、第1のサブフレームのシンボル長は5シンボルであり、第1の信号を送信する継続時間は6[ms]である。各フレームの最後のサブフレームのシンボル長は14シンボルであると想定される。最後のサブフレームは第7のサブフレームであり、最後のサブフレームのシンボル長は9シンボルである。ユーザ機器は、免許不要の周波数帯のセル識別子及び／又は免許不要の周波数帯の公衆携帯電話ネットワーク識別子にしたがって、プリアンブル信号が現在送信されているセルがユーザ機器に対して構成された免許不要のセカンダリ・キャリア・セルであるかどうかを決定することができる。
【０２１２】
選択的な実施形態において、ダウンリンク制御情報は、第1のダウンリンク制御情報及び第2のダウンリンク制御情報を含む。スケジューリング指示情報は、第1のダウンリンク制御情報の中にある。継続時間指示情報は、第2のダウンリンク制御情報の中にある。第1のダウンリンク制御情報は、ユーザ固有の検索インターバル内に存在し、第2のダウンリンク制御情報は、共用の検索インターバル内に存在する。
【０２１３】
選択的な実施形態において、プリアンブル信号は、免許不要の周波数帯における基地局の利用可能な継続時間を示すのに使用され、少なくとも2つの異なるプリアンブル信号が異なる継続時間に対応している。
【０２１４】
選択的な実施形態において、処理ユニット801は、第2のサブフレームの先頭にあるn個のシンボルによって、第2のサブフレームがスケジューリングされているダウンリンク制御チャネルに関する検出を実行する。第2のサブフレームは、継続時間の中であって第1のサブフレームの後に存在する。
【０２１５】
選択的な実施形態において、ダウンリンク制御情報はさらに無線ネットワーク一時識別子RNTIを含む。RNTIは、RNTIにしたがってダウンリンク制御情報を受信するために使用される。
【０２１６】
選択的な実施形態において、プリアンブル信号は、時間領域において固定された継続時間を占有する。
【０２１７】
選択的な実装方法で、処理ユニット801はプロセッサとすることができる。プロセッサは、具体的には、ベースバンド・プロセッサ、デジタル信号プロセッサ(Digital  Signal  Processor，DSP)、フィールド・プログラム可能ゲート・アレイ(Field  Programmable  Gate  Array，FPGA)、又は中央プロセッサ(Central  Processing  Unit，CPU)であってよい。受信ユニット802は、受信機(receiver)であってよい。受信ユニット802は、送受信機(transceiver)であってもよい。受信機又は送受信機は、無線周波数回路、又はプロセッサ及び無線周波数回路を含む組み合わせであってもよい。
【０２１８】
選択的な実装方法において、図8に示す実施形態で提供されるユーザ機器は受信機及びプロセッサを含むことができる。プロセッサは、ダウンリンク制御チャネルに検出を実行してダウンリンク制御情報を取得するように構成される。ダウンリンク制御情報は、スケジューリング指示情報を含んでいる。スケジューリング指示情報は、第1のサブフレームの中のスケジューリングされたデータの周波数領域位置を示すのに使用される。プロセッサはさらに、ダウンリンク制御チャネル中の位置指示情報にしたがって又はダウンリンク制御チャネルの前に免許不要の周波数帯で受信されたプリアンブル信号にしたがって、第1のサブフレームの中のデータの時間領域位置を決定するように構成される。位置指示情報は、第1のサブフレームの中のデータの時間領域位置を示すのに使用される。受信機は、データの周波数領域位置及び時間領域位置にしたがって、免許不要の周波数帯の中でデータを受信するように構成される。
【０２１９】
以下で、本発明の実施形態を、具体例を参照してより詳細に説明する。
【０２２０】
図9は、本発明の1つの実施形態による免許不要のキャリアのサブフレームの構造図である。図9に示すように、信号の送信は、免許不要のキャリアを使用してサブフレーム2の中途にあるシンボルから開始することがある。
【０２２１】
具体的には、基地局は、CCA又はECCAにより、UEへの信号の送信が、第1のキャリアのサブフレーム2の1番目のシンボルから開始することができると決定することができる。
【０２２２】
信号は、プリアンブル信号、ダウンリンク制御情報、又はデータ、のうち1つ又は複数を含むことができる。基地局が免許不要の周波数帯を占有する時間は制限されており、例えば6[ms]である。無論、この時間は別の値であってもよい。これは本発明の本実施形態では制限されない。この場合、基地局は、6[ms]の継続時間の間に信号を送信することができる。具体的には、基地局は、サブフレーム2の1番目のシンボルからプリアンブル信号の送信を開始する。プリアンブル信号は、サブフレーム2の複数個のシンボルを占有する可能性がある。本発明の本実施形態では、プリアンブル信号を使用してデータの時間領域位置を決定することができる。プリアンブル信号が送信された後、ダウンリンク制御情報及び／又はデータをサブフレーム2のシンボルで送信することができる。選択的に、具体的には、図9(a)に示すように、ダウンリンク制御情報はPDCCHで送信され、データはPDSCHで送信される。
【０２２３】
例えば、1番目のシンボルがサブフレーム2のシンボル3である場合、基地局は、プリアンブルをシンボル3で送信し、PDCCHをシンボル4で送信し、データをシンボル5から最後のシンボルまでで送信し始める。PDCCHは、第2のサブフレームから開始して、各サブフレームの最初の数シンボルで送信され、データはその後続のシンボルで送信される。最後のサブフレームについては、PDCCHは最後のサブフレームの最初の数シンボルで送信され、データはその後続のシンボルで送信される。
【０２２４】
別の例として、1番目のシンボルがサブフレーム2のシンボル3である場合、基地局は、プリアンブルをシンボル3で送信し、データの送信をシンボル4から開始して最後のシンボルの前のシンボルまで送信し、PDCCHをサブフレーム2の最後のシンボルで送信する。PDCCHは、第2のサブフレームから開始して、各サブフレームの最初の数シンボルで送信され、データはその後続のシンボルで送信される。最後のサブフレームについては、PDCCHは、最後のサブフレームの最初の数シンボルで送信され、データはその後続のシンボルで送信される。
【０２２５】
データは、ダウンリンク制御情報が送信された後に送信される。選択的な実施形態において、基地局は、サブフレーム2の1番目のシンボルからプリアンブル信号の送信を開始する。データは、プリアンブル信号が送信された後に送信される。ダウンリンク制御情報は、データが送信された後に送信される。
【０２２６】
本実施形態におけるサブフレーム2は、免許不要の周波数帯にあり且つ基地局が利用することが可能である時間−周波数リソースの時間領域インターバル内で最初のサブフレームである。
【０２２７】
選択的な実施形態において、具体的には、図9(b)に示すように、ダウンリンク制御情報はEPDCCHで送信され、データはPDSCHで送信される。ダウンリンク制御情報がEPDCCHで送信される場合、プリアンブル信号は、サブフレーム2の最初の2つの利用可能シンボルで送信される。すなわち、基地局は、免許不要の周波数帯にあり、且つ基地局が利用することができる時間−周波数リソースの時間領域インターバル内で最初のサブフレームの1番目のシンボル及び2番目のシンボルで、プリアンブル信号を送信する。ダウンリンク制御情報の送信は、所定のシンボルで開始する。所定のシンボルの連続番号が2番目のシンボルの連続番号より大きい場合、ダウンリンク制御情報及びデータは、所定のシンボルから、第1のサブフレームの最後のシンボルまでの各シンボルで送信される。例えば、プリアンブル信号の送信は、第1のサブフレームのシンボルNで終了するが、EPDCCHで送信されるダウンリンク制御情報の所定の送信開始位置は、シンボルPである。ダウンリンク制御情報の送信開始位置は、ネットワークによってユーザ機器に対して構成される場合も、又は所定の方式でユーザ機器に記憶される場合もある。P＞Nの場合、ダウンリンク制御情報の送信はシンボルPから開始する。P＜Nの場合、ダウンリンク制御情報の送信はシンボルN＋1から開始する。
【０２２８】
選択的に、プリアンブル信号が送信された後、ダウンリンク制御情報は直ちには送信されない。ダウンリンク制御情報は、数シンボル後に送信することができる。
【０２２９】
図9に示す実施形態では、信号が少なくともサブフレーム2の1番目のシンボルからサブフレーム2の最後のシンボルまでのすべてのシンボルを占有するので、免許不要のキャリアの利用が改善される。
【０２３０】
選択的に、プリアンブル信号は、時間領域における信号の開始位置を決定するためにユーザ機器によって使用される。プリアンブル信号は、プリアンブル・シーケンスを含んでいる。ユーザ機器は、プリアンブル・シーケンスを検出することによって、免許不要のキャリアを使用して送信される信号が、ユーザ機器が属するセルに送信されたことを決定することができる。選択的に、プリアンブル信号はさらに、信号の継続時間、免許不要のキャリアのセル識別子、免許不要のキャリアの公衆携帯電話ネットワーク識別子、又はダウンリンク制御情報によって占有されているシンボルの量、の少なくとも1つを搬送することができる。
【０２３１】
サブフレーム2について、ユーザ機器は、基地局によって送信されたプリアンブル信号を検出することにより、免許不要のキャリアを使用して送信される信号が、ユーザ機器が属するセルに送信されたことを決定する。そして、ユーザ機器は、プリアンブル信号に続いてダウンリンク制御情報及びデータを受信し、そのダウンリンク制御情報にしたがって、ダウンリンク制御情報中に指示されるスケジューリングされたデータを読み出す。
【０２３２】
中途のサブフレームにおける信号の受信に関しては、第1のサブフレームに続くサブフレームは、信号によって占有された最後のサブフレーム以外の完全なサブフレームであるので、基地局は、従来技術にしたがってダウンリンク制御情報及びデータを送信することができ、ユーザ機器は、従来技術にしたがってダウンリンク制御情報及びデータを受信することができる。ダウンリンク制御情報は、第1のキャリアのPDCCH若しくはEPDCCHから取得される場合も、又は別のキャリアのPDCCH若しくはE−PDCCHから取得される場合もある。
【０２３３】
信号によって占有された最後のサブフレームでの信号の受信に関しては、ユーザ機器が、免許不要のキャリアにおける基地局の利用可能な継続時間をプリアンブル信号から取得した場合、ユーザ機器は、信号を送信する開始の瞬間のシンボルにしたがって、最後のサブフレーム及び最後のサブフレームの最後のシンボルを知ることができる。
【０２３４】
具体的には、図9に示すように、ユーザ機器が、プリアンブル信号にしたがって、信号の継続時間が6[ms]であり、信号を送信する開始シンボルがサブフレーム2の5番目のシンボルであることを知った場合、5つの完全なサブフレームと2つの不完全なサブフレームがこの送信に存在し、それらは具体的には、サブフレーム2のシンボル5からシンボル14、サブフレーム3からサブフレーム7、及びサブフレーム8の1番目のシンボルから4番目のシンボルである。ユーザ機器は、サブフレーム8が終了サブフレームであり、サブフレーム8の中の第1の信号によって占有されている合計シンボルの長さが4番目のシンボルであるということを決定することができる。UEは、その情報にしたがって、最後のシンボルでダウンリンク制御情報及びデータを受信することができる。例えば、ダウンリンク制御情報がPDCCHで受信される場合、ダウンリンク制御情報によって占有されたシンボルを差し引いた後、ユーザ機器は、データが位置しているPDSCHとして使用される、サブフレーム8の4番目のシンボルのうちの残りのシンボルでデータを受信する。ダウンリンク制御情報がEPDCCHで受信される場合、ユーザ機器は、サブフレーム8の4番目のシンボルを、EPDCCHでダウンリンク制御情報を受信する終了シンボルとして使用し、データが位置しているPDSCHとして使用される、サブフレーム8の最初の4番目のシンボルでデータを受信する。
【０２３５】
信号によって占有された最後のサブフレームにおける信号の受信については、選択的な実施形態において、基地局は、データによって占有されたシンボルの位置情報をダウンリンク制御情報に追加し、ユーザ機器は、その位置情報にしたがってデータの位置を決定し、その位置にしたがってPDSCHでデータを受信する。例えば、データ送信の終了シンボルがダウンリンク制御情報中で搬送される場合、ユーザ機器は、その終了シンボルにしたがってPDSCH上のデータの終了位置を決定し、データを受信する。
【０２３６】
本発明の本実施形態において説明するプリアンブル信号は、従来技術でCCA又はECCAの後に基地局によって送信されるプリアンブル信号ではない。従来技術では、プリアンブル信号は、チャネルを占有して、チャネルが別の基地局によって占有されないようにするためだけに使用される。しかし、本発明の本実施形態では、ユーザ機器は、プリアンブル信号にしたがって、第1のサブフレームの中のデータの時間領域位置を決定することができる。プリアンブル信号は、少なくとも1つのあらかじめ設定されたシーケンス中のシーケンスである。ユーザ機器は、あらかじめ設定された異なるシーケンスにしたがって第1の信号の継続時間を決定することができる。プリアンブル信号を受信した後、ユーザ機器は、プリアンブル信号にしたがって、免許不要の周波数帯内のダウンリンク制御チャネルの位置を決定する。ユーザ機器は、ダウンリンク制御情報を検出するために多量の信号をキャッシュする必要はない。プリアンブル信号を受信した後、ユーザ機器は、ダウンリンク制御チャネルの位置を決定し、ダウンリンク制御情報を取得することができる。その場合、ユーザ機器は、ユーザ機器に固有のダウンリンク制御情報を特定するために、限られたシンボルのみでダウンリンク制御情報の検出を行えばよく、次いで、ダウンリンク制御情報中のスケジューリング指示情報にしたがってデータを読み出す。
【０２３７】
図10は、本発明の1つの実施形態による免許不要のキャリアのサブフレームの構造図である。図10に示す免許不要のキャリアのサブフレームの構造は、基本的に図9に示す免許不要のキャリアのサブフレームの構造と同じであり、同じ内容はここでは繰り返して説明しない。図10に示す実施形態と図9に示す実施形態の違いは、図10に示す実施形態における第1の信号はプリアンブル信号を含まないのに対して、図9に示す実施形態における第1の信号はプリアンブル信号を含むことである。
【０２３８】
基地局は、あるサブフレームの1番目のシンボルから第1の信号の送信を開始する。第1の信号は、ダウンリンク制御情報及びデータを含んでいる。例えば、第1の信号の継続時間は6[ms]である。具体的には、基地局は、サブフレームの1番目のシンボルからダウンリンク制御情報の送信を開始する。選択的に、ダウンリンク制御情報はPDCCHで送信され、データはPDSCHで送信される。具体的には、図10(a)に示すように、ダウンリンク制御情報はRNTIを含む。RNTIは、ダウンリンク制御情報がユーザ機器に送信されたものであることを決定するためにユーザ機器によって使用される。データは、ダウンリンク制御情報が送信された後に送信される。
【０２３９】
選択的な実施形態において、基地局は、ダウンリンク制御情報及びデータを、サブフレームの1番目のシンボルからサブフレームまでの各シンボルで送信する。具体的には、図10(b)に示すように、ダウンリンク制御情報は、無線ネットワーク一時識別子(Radio  Network  Temporary  Identity，RNTI)を含む。RNTIは、ダウンリンク制御情報がユーザ機器に送信されたものであることを決定するためにユーザ機器によって使用される。
【０２４０】
選択的な実施形態において、プリアンブル信号が送信された後、ダウンリンク制御情報は直ちには送信されない。ダウンリンク制御情報は、数シンボル後に送信することができる。
【０２４１】
信号を受信するとき、ユーザ機器は、基地局がダウンリンク制御情報の送信を開始するシンボルを知ることができない。したがって、基地局は、シンボルに1つずつ検出を行う必要があり、検出は、サブフレームの1番目のシンボルから開始する。ユーザ機器に属するダウンリンク制御情報が検出されると、ユーザ機器は、ダウンリンク制御情報にしたがって、ダウンリンク制御情報中に指示されるスケジューリングされたデータを読み出す。
【０２４２】
図11は、本発明の1つの実施形態による免許不要のキャリアのサブフレームの構造図である。図11に示すように、信号の送信は、免許不要のキャリアを使用して第2のサブフレームの中途にあるシンボルから開始することができる。
【０２４３】
選択的に、基地局は、CCA又はECCAにより、信号の送信が、第1のキャリアを使用してサブフレーム2の1番目のシンボルから開始できると決定することができる。
【０２４４】
基地局は、サブフレーム2の1番目のシンボルから信号の送信を開始する。信号は、ダウンリンク制御情報及びデータを含んでいる。例えば、信号の継続時間は6[ms]である。
【０２４５】
選択的な実施形態において、基地局は、サブフレーム2の1番目のシンボルからデータの送信を開始し、データが送信された後にダウンリンク制御情報を送信する。ダウンリンク制御情報は、サブフレーム2の最後のN個のシンボルで送信され、Nは自然数である。具体的には、図11(a)に示すように、ダウンリンク制御情報は、第1のサブフレームの終わりの数シンボルで送信され、ダウンリンク制御情報はPDCCHで送信される。
【０２４６】
選択的な実施形態において、基地局は、サブフレーム2の1番目のシンボルからサブフレーム2の最後のシンボルまでの少なくとも1つのシンボルでデータを送信し、サブフレーム2に続くサブフレームでダウンリンク制御情報を送信する。具体的には、図11(b)に示すように、ダウンリンク制御情報は、サブフレーム2に続くサブフレーム3で送信される。図11(b)に示す実施形態において説明するダウンリンク制御情報は、順方向スケジューリング指示を含んでいる。順方向スケジューリング指示は、ダウンリンク制御情報が位置しているサブフレームの前のサブフレームにデータをスケジューリングするためにダウンリンク制御情報が使用されることを、順方向スケジューリング指示にしたがって決定するためにユーザ機器によって使用される。
【０２４７】
図11に示す実施形態では、信号が少なくともサブフレーム2の1番目のシンボルからサブフレーム2の最後のシンボルまでのすべてのシンボルを占有するので、免許不要のキャリアの利用が改善される。
【０２４８】
選択的な実施形態において、図11(a)及び図11(b)に示す実施形態で説明されるダウンリンク制御情報はさらに、無線ネットワーク一時識別子RNTIを含む。RNTIは、RNTIにしたがってダウンリンク制御情報を受信するためにユーザ機器によって使用される。選択的に、ダウンリンク制御情報はさらに、第1の信号を送信する継続時間、第1のキャリアのセル識別子、第1のキャリアの公衆携帯電話ネットワーク識別子、又はダウンリンク制御情報によって占有されているシンボルの量、の少なくとも1つを含んでもよい。
【０２４９】
中途のサブフレームにおける信号の受信に関しては、第1のサブフレームに続くサブフレームは、第1の信号によって占有された最後のサブフレーム以外の完全なサブフレームであるので、基地局は、従来技術にしたがってダウンリンク制御情報及びデータを送信することができ、ユーザ機器は、従来技術にしたがってダウンリンク制御情報及びデータを受信することができる。ダウンリンク制御情報は、第1のキャリアのPDCCH若しくはEPDCCHから取得される場合も、又は別のキャリアのPDCCH若しくはE−PDCCHから取得される場合もある。
【０２５０】
本実施形態では、ダウンリンク制御情報がサブフレームの最後のN個のシンボルで送信される(図11aに示す)か、又はサブフレームの最初のN個のシンボルで送信される(図11bに示す)ので、第1の信号を受信するとき、ユーザ機器は、基地局によってサブフレーム中でダウンリンク制御情報が送信される具体的な位置を知ることができない。しかし、本実施形態におけるダウンリンク制御情報の位置については、2つのケース、すなわち、ダウンリンク制御情報がサブフレームの最後のN個のシンボルで送信されるか、又はダウンリンク制御情報がサブフレームの最初のN個のシンボルで送信されるか、しかない。無論、ダウンリンク制御情報は、同じサブフレームの最後のN個のシンボル又は最初のN個のシンボルだけで送信することができ、最後のN個のシンボルと最初のN個のシンボルで同時に送信することはできない。
【０２５１】
ユーザ機器は、サブフレームの最初のN個のシンボルに検出を行う。ダウンリンク制御情報が検出された場合、ユーザ機器は、そのダウンリンク制御情報にしたがって、ダウンリンク制御情報中に指示されるスケジューリングされたデータを読み出す。最初のN個のシンボル中で検出されるダウンリンク制御情報は、ダウンリンク制御情報が位置しているサブフレーム中にデータをスケジューリングするために使用することができ、又は、ダウンリンク制御情報が位置しているサブフレームの前のサブフレームにデータをスケジューリングするために使用することができる。ダウンリンク制御情報を使用して、ダウンリンク制御情報が位置しているサブフレームの前のサブフレームにデータをスケジューリングする場合、ユーザ機器はまず、ダウンリンク制御情報が位置しているサブフレームの前のサブフレームにあるデータをキャッシュする必要がある。ダウンリンク制御情報が最初のN個のシンボル中で検出されない場合、ユーザ機器は、ダウンリンク制御情報を最後のN個のシンボル中で検出する。ダウンリンク制御情報を最後のN個のシンボル中で検出する前に、ユーザ機器は、基地局によって送信されたデータをキャッシュする必要がある。ダウンリンク制御情報を最後のN個のシンボルで検出した後、ユーザ機器は、ダウンリンク制御情報にしたがって、ダウンリンク制御情報の中に指示されるスケジューリングされたデータを読み出す。ユーザ機器は、サブフレームの最初のN個のシンボル又は最後のN個のシンボル中のダウンリンク制御情報だけを検出すればよいので、サブフレームのシンボルに1つずつ行われる検出と比べて、ユーザ機器のエネルギー消費を低減することができ、ユーザ機器の動作速度を向上させることができる。
【０２５２】
図11(a)に示す実施形態では、第1の信号を受信すると、ユーザ機器はまずその第1の信号をキャッシュする。次いで、ユーザ機器は、RNTIにしたがって、ユーザ機器に対応するダウンリンク制御情報を決定し、ダウンリンク制御情報を受信し、ダウンリンク制御情報にしたがって、ダウンリンク制御情報中に指示されるスケジューリングされたデータを読み出す。
【０２５３】
例えば、ユーザ機器が、所定のRNTIに対応するダウンリンク制御情報がサブフレーム2の最後のN個のシンボルで送信されることを検出し、ダウンリンク制御情報が、現在のサブフレーム中のデータがN個のシンボルを占有することを示す場合、データを受信するときに、ユーザ機器は、ダウンリンク制御情報によって占有されたシンボルの前のN個のシンボルに対応するデータのみを受信する。
【０２５４】
ユーザ機器が、所定のRNTIに対応するダウンリンク制御情報が、ダウンリンク制御情報が位置している現在のサブフレームの最初の数シンボルで送信されることを検出し、ダウンリンク制御情報が、現在のサブフレーム中のデータがN個のシンボルを占有することを示す場合、データを受信するとき、ユーザ機器は、ダウンリンク制御情報によって占有されたシンボルの後のN個のシンボルに対応するデータのみを受信する。
【０２５５】
選択的に、ダウンリンク制御情報が、信号がDミリ秒の継続時間を占有することを示す場合、続くD−1ミリ秒の間、ユーザ機器は、サブフレームの最後のN個のシンボル中ではダウンリンク制御情報を検出せず、そのサブフレームの最初の数シンボルでのみダウンリンク制御情報を検出する。
【０２５６】
図11(b)に示す実施形態では、ユーザ機器は、所定のRNTIに対応するダウンリンク制御情報を検出する。ダウンリンク制御情報は、図11(b)に示す信号のサブフレーム2に続くサブフレーム3のPDCCHから受信することができる。選択的な実施形態において、ダウンリンク制御情報は、別の免許付与されたキャリア又は別の免許不要のキャリアのPDCCHから受信されることもある。そして、ユーザ機器は、ダウンリンク制御情報にしたがって、第1のキャリアの第1のサブフレームの中のデータを読み出す。
【０２５７】
選択的に、ユーザ機器は、ダウンリンク制御情報の中に指示されるデータのシンボル情報にしたがって、サブフレーム2の中でデータによって占有されるシンボルの量を決定することができる。選択的に、UEは、ダウンリンク制御情報中の順方向スケジューリング指示にしたがってダウンリンク制御情報を決定して、ダウンリンク制御情報が位置しているサブフレームの前のサブフレームにデータをスケジューリングする。
【０２５８】
本発明の実施形態及びそれらの実施形態における特徴は、衝突がなければ互いに組み合わせることができる。
【０２５９】
上述の説明は、本発明の特定の実装方法に過ぎず、本発明の保護範囲を制限することは意図されない。本発明に開示される技術的範囲内で当業者によって容易に見出される変形又は置き換えはいずれも本発明の保護範囲にあるものとする。したがって、本発明の保護範囲は、特許請求の範囲の保護範囲に従うものとする。
【図１】
0006475350.tif 000002
【図２】
0006475350.tif 000003
【図３】
0006475350.tif 000004
【図４】
0006475350.tif 000005
【図５】
0006475350.tif 000006
【図６】
0006475350.tif 000007
【図７】
0006475350.tif 000008
【図８】
0006475350.tif 000009
【図９】
0006475350.tif 000010
【図１０】
0006475350.tif 000011
【図１１】
0006475350.tif 000012